(57)【要約】      （修正有）【課題】画角が７０度以上で、Ｆ２．４程度の４枚構成の小型撮像レンズ、及びそれを用いた撮像装置並びに携帯端末を提供する。【解決手段】物体側より順に、正の屈折力を有し物体側に凸面を向けた第１レンズＬ１、負の屈折力を有し物体側に凹面を向けた第２レンズＬ２、正の屈折力を有し像側に凸面を向けた第３レンズＬ３、負の屈折力を有し両凹形状を有する第４レンズＬ４、からなる。第４レンズＬ４は、物体側面および像側面が光軸近傍から周辺に向かうに従い負の屈折力が弱くなる形状の非球面を有し、開口絞りＳが第２レンズＬ２より物体側に配置され、以下の条件式を満足する。−１０＜ｆ１／ｆ４＜−１（１）、−２００＜ｆ２／ｆ＜−1.４（２）、３５＜νｄ４＜８５（３）ただし、ｆ１：第１レンズＬ１の焦点距離、ｆ４：第４レンズＬ４の焦点距離、ｆ２：第２レンズＬ２の焦点距離、ｆ：撮像レンズ全系の焦点距離、νｄ４：第４レンズＬ４のアッベ数【選択図】図５
2013092584.tif 000002
【特許請求の範囲】
【請求項１】
物体側より順に、
正の屈折力を有し物体側に凸面を向けた第１レンズ、
負の屈折力を有し物体側に凹面を向けた第２レンズ、
正の屈折力を有し像側に凸面を向けた第３レンズ、
負の屈折力を有し両凹形状を有する第４レンズ、からなり、
前記第４レンズは、物体側面および像側面が非球面形状とされており、光軸近傍から周辺に向かうに従い負の屈折力が弱くなる形状を有し、
開口絞りが前記第２レンズより物体側に配置され、
以下の条件式を満足することを特徴とする撮像レンズ。
−１０＜ｆ１／ｆ４＜−０．８      （１）
−２００＜ｆ２／ｆ＜−1.４      （２）
３５＜νｄ４＜８５      （３）
ただし、
ｆ１：前記第１レンズの焦点距離
ｆ４：前記第４レンズの焦点距離
ｆ２：前記第２レンズの焦点距離
ｆ：前記撮像レンズ全系の焦点距離
νｄ４：前記第４レンズのアッベ数
【請求項２】
以下の条件式を満足することを特徴とする請求項１に記載の撮像レンズ。
０．１＜Ｔ１２／Ｔ２３＜２．５      （４）
ただし、
Ｔ１２：前記第１レンズと前記第２レンズの光軸上の空気間隔
Ｔ２３：前記第２レンズと前記第３レンズの光軸上の空気間隔
【請求項３】
以下の条件式を満足することを特徴とする請求項１または請求項２のいずれか１項に記載の撮像レンズ。
０．６＜ｆ１／ｆ＜５．０      （５）
ただし、
ｆ１：前記第１レンズの焦点距離
ｆ：前記撮像レンズ全系の焦点距離
【請求項４】
以下の条件式を満足することを特徴とする請求項１乃至請求項３のいずれか１項に記載の撮像レンズ。
０．３＜ｆ３／ｆ＜１．５      （６）
ただし、
ｆ３：前記第３レンズの焦点距離
ｆ：前記撮像レンズ全系の焦点距離
【請求項５】
以下の条件式を満足することを特徴とする請求項１乃至請求項４のいずれか１項に記載の撮像レンズ。
０.００１＜Ｔ３４／ｆ＜０．３      （７）
ただし、
Ｔ３４：前記第３レンズと前記第４レンズの光軸上の空気間隔
【請求項６】
以下の条件式を満足することを特徴とする請求項１乃至請求項５のいずれか１項に記載の撮像レンズ。
−１．０＜（ｒ７＋ｒ８）／（ｒ７−ｒ８）＜１．０      （８）
ただし、
ｒ７：前記第４レンズの物体側面の曲率半径
ｒ８：前記第４レンズの像側面の曲率半径
【請求項７】
以下の条件式を満足することを特徴とする請求項１乃至請求項６のいずれか１項に記載の撮像レンズ。
−５．０＜Ｐair12／Ｐ＜−０．１      （９）
ただし、
Ｐ：前記撮像レンズ全系の屈折力（焦点距離の逆数）
Ｐair12：前記第１レンズの像側面と前記第２レンズの物体側面とにより形成されるいわゆる空気レンズの屈折力であり、以下の条件式で求める。
Ｐair12＝（１−Ｎ１）／Ｒ２＋（Ｎ２−１）／Ｒ３−｛（（１−Ｎ１）・（Ｎ２−１））／（Ｒ２・Ｒ３）｝・Ｄ２      （１０）
ただし、
Ｎ１：前記第１レンズのｄ線に対する屈折率
Ｎ２：前記第２レンズのｄ線に対する屈折率
Ｒ２：前記第１レンズの像側面の曲率半径
Ｒ３：前記第２レンズの物体側面の曲率半径
Ｄ２：前記第１レンズと前記第２レンズの光軸上の空気間隔
【請求項８】
以下の条件式を満足することを特徴とする請求項１乃至請求項７のいずれか１項に記載の撮像レンズ。
５０＜νｄ１＜９７      （１１）
１５＜νｄ２＜２９      （１２）
ただし、
νｄ１：前記第１レンズのアッベ数
νｄ２：前記第２レンズのアッベ数
【請求項９】
前記第１レンズの物体側面より物体側に前記開口絞りを配置することを特徴とする請求項１乃至請求項８のいずれか１項に記載の撮像レンズ。
【請求項１０】
前記第１レンズと前記第２レンズの間に前記開口絞りを配置することを特徴とする請求項１乃至請求項８のいずれか１項に記載の撮像レンズ。
【請求項１１】
実質的に屈折力を有しないレンズを有することを特徴とする請求項１〜１０のいずれか１項に記載の撮像レンズ。
【請求項１２】
被写体像を光電変換する固体撮像素子と、請求項１〜１１のいずれか１項に記載の撮像レンズを備えたことを特徴とする撮像装置。
【請求項１３】
請求項１２に記載の撮像装置を備えたことを特徴とする携帯端末。
【発明の詳細な説明】
【技術分野】
【０００１】
本発明は撮像レンズ、特には、ＣＣＤ型イメージセンサあるいはＣＭＯＳ型イメージセンサ等の固体撮像素子を用いた小型で高い解像度が得られる撮像レンズ、およびこれを備える撮像装置並びに携帯端末に関する。
【背景技術】
【０００２】
近年、CCD（Charged Coupled Device）型イメージセンサあるいはCMOS（Complementary Metal Oxide Semiconductor）型イメージセンサ等の固体撮像素子を用いた撮像装置が搭載された携帯端末の普及の増大に伴い、より高画質の画像が得られるよう、高画素数をもつ撮像素子を使用した撮像装置が搭載されたものが市場に供給されるようになってきた。従来の高画素数をもつ撮像素子は、大型化をともなっていたが、近年、画素の高細化が進み、撮像素子が小型化されるようになってきた。高細化された撮像素子に使用される撮像レンズには、高細化された画素に対応するために高い解像力が要求される。これに対し、レンズの解像力はＦ値により限界があり、Ｆ値の小さい明るいレンズの方が高解像力を得られるため、明るい撮像レンズが要求されている。
【０００３】
一方、撮像装置の更なる小型化をするためにも撮像レンズの全長もさらに小さくすることが要求されている。撮像レンズは、パワー（屈折力）配置や、レンズの厚みや空気間隔の工夫で小型化することには限界があり、近年、撮像レンズの焦点距離を短くした広角レンズを用いることで、光学系の全長を小さくする試みがなされようになってきた。このような用途の撮像レンズとしては、３枚構成のレンズに比べ高性能化が可能であると言うことから、４枚構成の撮像レンズが提案されている。
【０００４】
このような４枚構成の撮像レンズとして、物体側より順に正の屈折力を有する第１レンズ、負の屈折力を有する第２レンズ、正の屈折力を有する第３レンズ、負の屈折力を有する第４レンズで構成された、所謂、テレフォトタイプの撮像レンズが開発されている。テレフォトタイプは、撮像レンズ全長（撮像レンズ全系の最も物体側のレンズ面から像側焦点までの光軸上の距離）の小型化に有利であり、例えば特許文献１〜６に開示されている。
【先行技術文献】
【特許文献】
【０００５】
【特許文献１】特開2009-258286号公報
【特許文献２】特開2009-282223号公報
【特許文献３】特開2009-192820号公報
【特許文献４】特開2006-293324号公報
【特許文献５】特開2008-129506号公報
【特許文献６】特開2010-49113号公報
【発明の概要】
【発明が解決しようとする課題】
【０００６】
特許文献１〜３には、Ｆ２．４より明るい撮像レンズが記載されている。しかしながら、第２レンズが像側に凹面を向けた負メニスカスレンズであるため、第２レンズの負の屈折力を像側面のみで負担しなければならないため、軸外光束でコマ収差が発生し、画面周辺部の良好な性能を確保できない。
【０００７】
また、上記特許文献１および２に記載の撮像レンズは、撮影画角が６５度程度であり、画角が広いとは言い難い。また、これ以上の広角化を行った場合、諸収差の影響、特にコマ収差の影響が大きくなるので、小型でありながら高解像力を得ることができなくなる。
【０００８】
さらに、上記特許文献３に記載の撮像レンズは、撮影画角が７５度程度の広角であるが、第４レンズの周辺部が像面方向に大きく張り出す形状であり、第４レンズと固体撮像素子との間に配置される、光学的ローパスフィルタ、赤外線カットフィルタ、または固体撮像素子パッケ−ジのシールガラス等の平行平板や、固体撮像素子の基板等との接触を避けるために、バックフォーカスを長くする構成になっているため、十分な小型化は達成できていない。
【０００９】
一方、特許文献４〜６記載の撮像レンズは、第２レンズが物体側に凹面を向けた負レンズであり、軸外収差の補正は十分なされているが、Ｆ２．８程度であるため、画素の高細化が進む携帯端末において、高解像力を得られるＦ値に対応できていない。また、レンズ全長も大きく、十分な小型化は達成できていない。
【００１０】
本発明は、このような問題点に鑑みてなされたものであり、小型でありながらも、撮影画角が７０度以上の広角で、Ｆ２．４程度の明るさを有し、諸収差が良好に補正された、４枚構成の撮像レンズ、及びそれを用いた撮像装置並びに携帯端末を提供することを目的とする。
【００１１】
ここで、小型の撮像レンズの尺度であるが、本発明では下式を満たすレベルの小型化を目指している。この範囲を満たすことで、撮像装置全体の小型軽量化が可能となる。
ＴＬ／２Ｙ＜０．９      （１３）
ただし、
ＴＬ：撮像レンズ全系の最も物体側のレンズ面から像側焦点までの光軸上の距離
２Ｙ：撮像面対角線長（固体撮像素子の矩形実効画素領域の対角線長）
ここで、像側焦点とは撮像レンズに光軸と平行な平行光線が入射した場合の像点をいう。
【００１２】
なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記ＴＬの値を計算するものとする。また、より望ましくは下式の範囲が良い。
ＴＬ／２Ｙ＜０．８      （１３）’
【課題を解決するための手段】
【００１３】
請求項１に記載の撮像レンズは、
物体側より順に、
正の屈折力を有し物体側に凸面を向けた第１レンズ、
負の屈折力を有し物体側に凹面を向けた第２レンズ、
正の屈折力を有し像側に凸面を向けた第３レンズ、
負の屈折力を有し両凹形状を有する第４レンズ、からなり、
前記第４レンズは、物体側面および像側面が非球面形状とされており、光軸近傍から周辺に向かうに従い負の屈折力が弱くなる形状を有し、
開口絞りが前記第２レンズより物体側に配置され、
以下の条件式を満足することを特徴とする撮像レンズ。
−１０＜ｆ１／ｆ４＜−０．８      （１）
−２００＜ｆ２／ｆ＜−1.４      （２）
３５＜νｄ４＜８５      （３）
ただし、
ｆ１：前記第１レンズの焦点距離
ｆ４：前記第４レンズの焦点距離
ｆ２：前記第２レンズの焦点距離
ｆ：前記撮像レンズ全系の焦点距離
νｄ４：前記第４レンズのアッベ数
【００１４】
小型で収差が良好に補正された撮像レンズを得るための本発明の構成は、物体側より順に、正の屈折力を有する第１レンズ、負の屈折力を有する第２レンズ、正の屈折力を有する第３レンズ、負の屈折力を有する第４レンズからなる、いわゆるテレフォトタイプの構成である。このレンズ構成は、撮像レンズ全長の小型化に有利な構成である。
【００１５】
第１レンズは、物体側に凸面を向けた形状にすることで、光学系の主点位置を物体側に配置できるため、撮像レンズ全長の小型化に有利になる。
【００１６】
第２レンズは、物体側に凹面を向けた形状にすることで、撮像レンズ全体において、負の屈折力を比較的物体側に配置できるため、撮像レンズの広角化に有利になる。
【００１７】
第３レンズは、像側に凸面を向けた形状にすることで、面の収斂作用により周辺光束の主光線入射角度を小さくできるため、また、軸外光線の屈折角を小さく抑えながら第４レンズに導くことができ、軸外の収差を良好に抑えることができる。
【００１８】
第４レンズは、両凹形状にすることで、物体側面および像側面に負の屈折力を分割できるため、第４レンズに強い負の屈折力を配置しても収差の発生を抑えることができ、撮像レンズ全長の小型化に有利になる。さらに、第４レンズは、物体側面および像側面を非球面形状とし、光軸から周辺に行くに従って負の屈折力が弱くなり、像側光束のテレセントリック特性が確保しやすくなる。
【００１９】
さらに、第２レンズより物体側に開口絞りを配置することによって、射出瞳をより遠くに離すことができるため、固体撮像素子の撮像面周辺部に結像する光束の主光線入射角度を小さく抑えることが可能となる。
【００２０】
条件式（１）は、第１レンズと第４レンズの焦点距離の比率を適切に設定して、広角化による小型化と大口径化を達成するための条件式である。条件式（１）の値が上限を下回ることで,第１レンズの焦点距離が短くなり過ぎるのを抑えることができるので、レトロフォーカスタイプに近い構成になり、入射画角を確保し易くなり、撮像レンズの広角化が可能になる。さらに、球面収差の発生を抑えることができるので、大口径化が可能になる。また、第４レンズの焦点距離が長くなり過ぎるのを抑えることができるので、バックフォーカスが長くなるのを防ぎ、撮像レンズの小型化が可能になる。
【００２１】
一方、条件式（１）の値が下限を上回ることで、第１レンズの焦点距離が長くなり過ぎるのを抑え、撮像レンズの主点位置を物体側に配置できるので、撮像レンズの小型化が容易になる。また、第４レンズの焦点距離が短くなり過ぎるのを抑え、歪曲収差の発生を抑えることができる。また、より望ましくは下式の範囲がよい。
−６＜ｆ１／ｆ４＜−１．０      （１’）
さらに望ましくは下式の範囲かよい。
−３＜ｆ１／ｆ４＜−１．１      （１“）
【００２２】
条件式（２）は、第２レンズの焦点距離を適切に設定して、広角化と高性能化を達成するための条件式である。条件式（２）の値が上限を下回ることで、第２レンズの負の焦点距離が短くなりすぎて、撮像レンズの主点位置が像側に配置されるのを防ぐことができ、良好なテレセントリック特性を得ることができる。さらに、球面収差やコマ収差の発生を抑えることができ、高性能化が図れる。
【００２３】
一方、条件式（２）の値が下限を上回ることで、第２レンズの焦点距離が長くなりすぎるのを防ぎ、負の屈折力を適度に維持することができ、撮像レンズ全体において、比較的物体側に負の屈折力を配置でき、広角化を達成できる。また、より望ましくは下式の範囲がよい。
−１００＜ｆ２／ｆ＜−１．５      （２‘）
さらに望ましくは下式の範囲がよい。
−５０＜ｆ２／ｆ＜−１．６      （２“）
【００２４】
条件式（３）は、第４レンズの分散特性を適切に設定し、色収差の補正を適切にするための条件式である。前記第４レンズは、光軸近傍から周辺に向かうに従い負の屈折力が弱くなる非球面形状であるので、条件式を満足することで軸上色収差と倍率色収差をバランスよく補正することが可能になる。より具体的には、条件式（３）の値が上限を下回ることで、さらに軸上色収差が悪化することを抑えることができる。一方、条件式（３）の値が下限を上回ることで、倍率色収差が悪化することを抑えることができる。また、より望ましくは下式の範囲がよい。
３５＜νｄ４＜７５      （３‘）
さらに望ましくは下式の範囲がよい。
３５＜νｄ４＜６５      （３“）
【００２５】
さらに望ましくは、第４レンズの像側面を、光軸との交点以外の位置に変曲点を有する非球面形状にすると、像側光束のテレセントリック特性が確保しやすくなる。ここで、「変曲点」とは有効半径内でのレンズ断面形状の曲線において、非球面頂点の接平面が光軸と垂直な平面となるような非球面上の点のことである。
【００２６】
請求項２に記載の撮像レンズは、請求項１に記載の発明において、以下の条件式を満足することを特徴とする。
０．１＜Ｔ１２／Ｔ２３＜２．５      （４）
ただし、
Ｔ１２：前記第１レンズと前記第２レンズの光軸上の空気間隔
Ｔ２３：前記第２レンズと前記第３レンズの光軸上の空気間隔
【００２７】
条件式（４）は、第１レンズと第２レンズとの間隔、および、第２レンズと第３レンズとの間隔の比率を定めて、良好に収差補正をするための条件式である。条件式（４）の値が上限を下回ることで、第２レンズの負の屈折力が像側によりすぎるのを抑えることができるので、撮像レンズの広角化が可能になる。さらに、第２レンズと第３レンズを適度に離して配置できるので、通過する軸外光束の光線高の差を持たせることができ、コマ収差の補正が容易になる。
【００２８】
一方、条件式（４）の値が下限を上回ることで、第１レンズと第２レンズの間に開口絞りを配置することができる。さらに、第１レンズと第２レンズを適度に離して配置できるので、第１レンズと第２レンズを通過する軸上光束の光線高の差を持たせることができ、球面収差の補正が容易になり、大口径化が可能になる。また、より望ましくは下式の範囲がよい。
０．１５＜Ｔ１２／Ｔ２３＜２．０      （４‘）
さらに望ましくは下式の範囲がよい。
０．２０＜Ｔ１２／Ｔ２３＜１．５      （４“）
【００２９】
請求項３に記載の撮像レンズは、請求項１又は２に記載の発明において、以下の条件式を満足することを特徴とする。
０．６＜ｆ１／ｆ＜５．０      （５）
ただし、
ｆ１：前記第１レンズの焦点距離
ｆ：前記撮像レンズ全系の焦点距離
【００３０】
条件式（５）は、第１レンズの焦点距離を適切に設定して、小型化と高性能化を達成するための条件式である。条件式（５）の値が上限を下回ることで、第１レンズの焦点距離が長くなりすぎず、撮像レンズ全系の主点位置が像側によることを抑えられるので、撮像レンズの小型化が可能になる。
【００３１】
一方、条件式（５）の値が下限を上回ることで、第１レンズの焦点距離が短くなりすぎず、第１レンズで発生する球面収差やコマ収差の発生を抑えられるので、良好な性能を維持しながら、大口径化と広角化を達成できる。また、より望ましくは下式の範囲がよい。
０．６５＜ｆ１／ｆ＜３．０      （５）
さらに望ましくは下式の範囲がよい。
０．７５＜ｆ１／ｆ＜２．０      （５“）
【００３２】
さらに、第１レンズは、以下の条件式を満足する形状にすることが望ましい。
−６＜（ｒ１＋ｒ２）／（ｒ１−ｒ２）≦−１      （１４）
ただし、
ｒ１：第１レンズの物体側面の曲率半径
ｒ２：第１レンズの像側面の曲率半径
【００３３】
条件式（１４）は第１レンズの形状を適切に設定し、撮像レンズ全長の短縮化と、第１レンズで発生するコマ収差の抑制を両立するための条件式である。条件式（１４）は第１レンズの形状を表す、所謂シェーピングファクターを規定しており、条件式の範囲で第１レンズは、平凸レンズから物体側に凸面を向けたメニスカス形状の範囲に設定される。条件式（１４）の値が上限を下回ることで、第１レンズがメニスカス形状となるため、撮像レンズ全系の主点位置をより物体側へ寄せることができるようになるため、撮像レンズ全長の短縮化を行うことができる。一方、条件式（１４）の値が下限を上回ることで、第１レンズ物体側面の曲率半径が小さくなりすぎず、画角が大きくついた周辺光に対するコマ収差を小さく抑えることができる。また、より望ましくは下式の範囲がよい。
−５＜（ｒ１＋ｒ２）／（ｒ１−ｒ２）≦−１      （１４‘）
さらに望ましくは下式の範囲がよい。
−４＜（ｒ１＋ｒ２）／（ｒ１−ｒ２）≦−１      （１４“）
【００３４】
請求項４に記載の撮像レンズは、請求項１〜３のいずれかに記載の発明において、以下の条件式を満足することを特徴とする。
０．３＜ｆ３／ｆ＜１．５      （６）
ただし、
ｆ３：前記第３レンズの焦点距離
ｆ：前記撮像レンズ全系の焦点距離
【００３５】
条件式（６）は第３レンズの焦点距離を適切に設定して、小型化と良好な収差補正を両立させるための条件式である。条件式（６）の値が上限を下回ることで、焦点距離が長くなって第３レンズの正の屈折力が弱くなるのを抑えることができるので、正の屈折力を適度に維持することができ、結果として射出瞳位置を固体撮像素子から物体側へ遠ざけることができるため、固体撮像素子の撮像面周辺部に結像する光束の主光線入射角度（主光線と光軸のなす角度で、光軸もしくは光軸と平行な場合はO゜）を小さく抑えることが可能になる。結果として,撮像面周辺部において実質的な開口効率が減少する現象（シェーディング）を抑制することができる。
【００３６】
一方、条件式（６）の値が下限を上回ることで、焦点距離が短くなって第３レンズの正の屈折力が必要以上に強くなるのを抑えることができるので、光学系の主点が物体側に配置されレンズ全長の短縮ができる。また、像面湾曲や歪曲収差等の軸外諸収差の良好な補正が可能になる。また、より望ましくは下式の範囲がよい。
０．３＜ｆ３／ｆ＜１．３      （６‘）
さらに望ましくは下式の範囲がよい。
０．３５＜ｆ３／ｆ＜１．１      （６”）
【００３７】
さらに、第３レンズは、以下の条件式を満足する形状にすることが望ましい。
１．０≦（ｒ５＋ｒ６）／（ｒ５−ｒ６）＜６．０      （１５）
ただし、
ｒ５：第３レンズの物体側面の曲率半径
ｒ６：第３レンズの像側面の曲率半径
【００３８】
条件式（１５）は第３レンズの形状を表す、所謂シェーピングファクターを規定しており、条件式の範囲で第３レンズは、平凸レンズから像側に凸面を向けたメニスカス形状の範囲に設定される。条件式（１５）の値が上限を下回ることで、第３レンズがメニスカス形状となるため、物体側面は凹面形状になり、物体側面に入射する光線の角度を小さくできるので、収差の発生を抑えることができる。一方、条件式（１５）の値が下限を上回ることで、第３レンズ物体側面の曲率半径が小さくなりすぎるのを抑えられるので、第２レンズとの間隔を狭くしてもレンズ周辺部でぶつからず、レンズ全長を短縮することができる。また、より望ましくは下式の範囲がよい。
１．２＜（ｒ５＋ｒ６）／（ｒ５−ｒ６）＜４．０      （１５‘）
さらに望ましくは下式の範囲がよい。
１．４＜（ｒ５＋ｒ６）／（ｒ５−ｒ６）＜３．０      （１５“）
【００３９】
請求項５に記載の撮像レンズは、請求項１〜４のいずれかに記載の発明において、以下の条件式を満足することを特徴とする。
０.００１＜Ｔ３４／ｆ＜０．３      （７）
ただし、
Ｔ３４：前記第３レンズと前記第４レンズの光軸上の空気間隔
【００４０】
条件式（７）は、第３レンズと第４レンズとの間隔を適切に設定して、小型化と良好な収差補正を両立させるための条件式である。条件式（７）の値が上限を下回ることで、撮像レンズ全長が大きくなるのを抑えることができる。さらに、バックフォーカスが短くなり過ぎて、第４レンズの有効半径が増大するのを抑え、撮像レンズの小型化が可能になる。
【００４１】
一方、条件式（７）の値が下限を上回ることで、第３レンズと第４レンズとの間隔を適度に維持できるので、第３レンズの像側面の正の屈折力を必要以上に強く設定する必要がなくなり、コマ収差や像面湾曲の補正がしやすくなり、高性能を維持しながら広角化が可能になる。また、より望ましくは下式の範囲がよい。
０.００５＜Ｔ３４／ｆ＜０．２５      （７’）
【００４２】
請求項６に記載の撮像レンズは、請求項１〜５のいずれかに記載の発明において、以下の条件式を満足することを特徴とする。
−１．０＜（ｒ７＋ｒ８）／（ｒ７−ｒ８）＜１．０      （８）
ただし、
ｒ７：前記第４レンズの物体側面の曲率半径
ｒ８：前記第４レンズの像側面の曲率半径
【００４３】
条件式（８）は、第４レンズの形状を適切に設定し、光学全長の短縮化を達成するための条件式である。条件式の範囲内で、第４レンズは両凹となる。条件式（８）の値が上限を下回ることで、像側面の負の屈折力が強くなりすぎて、光線が発散しすぎることがなく、全長を短縮しながらもテレセントリック性を改善できる。
【００４４】
一方で、条件式（８）の値が下限を上回ることで、物体側面の負の屈折力が強くなりすぎて、像側面で屈折力が弱くなり過ぎないので、光線の発散を適度に保つことができ、全長を短縮しつつ、撮像レンズのバックフォーカスを十分に確保できる。また、より望ましくは下式の範囲がよい。
−０．５＜（ｒ７＋ｒ８）／（ｒ７−ｒ８）＜１．０      （８‘）
【００４５】
条件式の範囲内で、前記第４レンズは、像側面に強い負の屈折力を有する両凹形状となる。条件式（８‘）を満足することで、像側面での光線の発散が適度に保たれ、バックフォーカスを確保しつつが短くなり過ぎて、第４レンズの有効半径が増大するのを抑え、全長の短縮化が可能になる。さらに望ましくは下式の範囲がよい。
０＜（ｒ７＋ｒ８）／（ｒ７−ｒ８）＜１．０      （８“）
【００４６】
請求項７に記載の撮像レンズは、請求項１〜６のいずれかに記載の発明において、以下の条件式を満足することを特徴とする。
−５．０＜Ｐair12／Ｐ＜−０．１      （９）
ただし、
Ｐ：前記撮像レンズ全系の屈折力（焦点距離の逆数）
Ｐair12：前記第１レンズの像側面と前記第２レンズの物体側面とにより形成されるいわゆる空気レンズの屈折力であり、以下の条件式で求める。
Ｐair12＝（１−Ｎ１）／Ｒ２＋（Ｎ２−１）／Ｒ３−｛（（１−Ｎ１）・（Ｎ２−１））／（Ｒ２・Ｒ３）｝・Ｄ２      （１０）
ただし、
Ｎ１：前記第１レンズのｄ線に対する屈折率
Ｎ２：前記第２レンズのｄ線に対する屈折率
Ｒ２：前記第１レンズの像側面の曲率半径
Ｒ３：前記第２レンズの物体側面の曲率半径
Ｄ２：前記第１レンズと前記第２レンズの光軸上の空気間隔
【００４７】
条件式（９）は、第１レンズと第２レンズで形成される空気レンズの屈折力を適切にすることにより、像面補正及びレンズの加工性を良好にするための条件式である。条件式（９）の値が上限を下回ることで、空気レンズによる負の屈折力を維持できるためペッツバール和が大きくなり過ぎず、像面を平坦にすることができる。
【００４８】
一方、条件式（９）の値が下限を上回ると、空気レンズによる負の屈折力が強くなり過ぎないので、製造時に第１レンズと第２レンズの相対的な軸ズレが発生した際に、性能劣化の少ない良好な像を得ることができる。また、より望ましくは下式の範囲がよい。
−３．５＜Ｐair12／Ｐ＜−０．２      （９‘）
さらに望ましくは下式の範囲がよい。
−２．５＜Ｐair12／Ｐ＜−０．３      （９“）
【００４９】
請求項８に記載の撮像レンズは、請求項１〜７のいずれかに記載の発明において、以下の条件式を満足することを特徴とする。
５０＜νｄ１＜９７      （１１）
１５＜νｄ２＜２９      （１２）
ただし、
νｄ１：前記第１レンズのアッベ数
νｄ２：前記第２レンズのアッベ数
【００５０】
条件式（１１）および（１２）は、前記第１レンズと前記第２レンズのアッベ数を適切に設定し、色収差を良好に補正するための条件式である。条件式（１１）を満足するような低分散のレンズ材料を第１レンズに用いることで、軸上色収差を十分に補正することができる。又、条件式（１２）を満足するような高分散のレンズ材料を第２レンズに用いることで、軸上色収差および倍率色収差をバランスよく補正することができる。
【００５１】
請求項９に記載の撮像レンズは、請求項１〜８のいずれかに記載の発明において、前記第１レンズの物体側面より物体側に前記開口絞りを配置することを特徴とする。
【００５２】
第１レンズの物体側面より物体側に開口絞りを配置すると,射出瞳を更に遠くに離すことができるため、良好なテレセントリック特性の確保に有利である。
【００５３】
請求項１０に記載の撮像レンズは、請求項１〜８のいずれかに記載の発明において、前記第１レンズと前記第２レンズの間に前記開口絞りを配置することを特徴とする。
【００５４】
第１レンズと第２レンズとの間に開口絞りを配置すると、歪曲収差やコマ収差の補正がし易い構成になり、高性能化に有利である。
【００５５】
請求項１１に記載の撮像レンズは、請求項１〜１０のいずれかに記載の発明において、実質的に屈折力を有しないレンズを有することを特徴とする。つまり、請求項１の構成に、実質的に屈折力を持たないダミーレンズを付与した場合でも本発明の適用範囲内である。
【００５６】
請求項１２に記載の撮像装置は、被写体像を光電変換する固体撮像素子と、請求項１〜１１のいずれかに記載の撮像レンズを備えたことを特徴とする。本発明の撮像レンズを用いることで、より小型かつ高性能な撮像装置を得ることができる。
【００５７】
請求項１３に記載の携帯端末は、請求項１２に記載の撮像装置を備えたことを特徴とする。本発明の撮像装置を用いることで、より小型かつ高性能な携帯端末を得ることができる。
【発明の効果】
【００５８】
本発明によれば、小型でありながらも、撮影画角が７０度以上の広角で、Ｆ２．４程度の明るさを有し、諸収差が良好に補正された、４枚構成の撮像レンズ、及びそれを用いた撮像装置並びに携帯端末を提供することができる。
【図面の簡単な説明】
【００５９】
【図１】本実施の形態にかかる撮像ユニット５０の斜視図である。
【図２】撮像ユニット５０の撮像光学系の光軸に沿った断面を模式的に示した図である。
【図３】撮像ユニットを適用した携帯電話の正面図（ａ）、及び撮像ユニットを適用した携帯電話の背面図（ｂ）である。
【図４】図３のスマートフォンの制御ブロック図である。
【図５】実施例１の撮像レンズの光軸方向断面図である。
【図６】実施例１の収差図（球面収差（ａ）、非点収差（ｂ）、歪曲収差（ｃ）、メリディオナルコマ収差（ｄ））である。
【図７】実施例２の撮像レンズの光軸方向断面図である。
【図８】実施例２の収差図（球面収差（ａ）、非点収差（ｂ）、歪曲収差（ｃ）、メリディオナルコマ収差（ｄ））である。
【図９】実施例３の撮像レンズの光軸方向断面図である。
【図１０】実施例３の収差図（球面収差（ａ）、非点収差（ｂ）、歪曲収差（ｃ）、メリディオナルコマ収差（ｄ））である。
【図１１】実施例４の撮像レンズの光軸方向断面図である。
【図１２】実施例４の収差図（球面収差（ａ）、非点収差（ｂ）、歪曲収差（ｃ）、メリディオナルコマ収差（ｄ））である。
【図１３】実施例５の撮像レンズの光軸方向断面図である。
【図１４】実施例５の収差図（球面収差（ａ）、非点収差（ｂ）、歪曲収差（ｃ）、メリディオナルコマ収差（ｄ））である。
【図１５】実施例６の撮像レンズの光軸方向断面図である。
【図１６】実施例６の収差図（球面収差（ａ）、非点収差（ｂ）、歪曲収差（ｃ）、メリディオナルコマ収差（ｄ））である。
【図１７】実施例７の撮像レンズの光軸方向断面図である。
【図１８】実施例７の収差図（球面収差（ａ）、非点収差（ｂ）、歪曲収差（ｃ）、メリディオナルコマ収差（ｄ））である。
【図１９】実施例８の撮像レンズの光軸方向断面図である。
【図２０】実施例８の収差図（球面収差（ａ）、非点収差（ｂ）、歪曲収差（ｃ）、メリディオナルコマ収差（ｄ））である。
【図２１】実施例９の撮像レンズの光軸方向断面図である。
【図２２】実施例９の収差図（球面収差（ａ）、非点収差（ｂ）、歪曲収差（ｃ）、メリディオナルコマ収差（ｄ））である。
【図２３】実施例１０の撮像レンズの光軸方向断面図である。
【図２４】実施例１０の収差図（球面収差（ａ）、非点収差（ｂ）、歪曲収差（ｃ）、メリディオナルコマ収差（ｄ））である。
【図２５】実施例１１の撮像レンズの光軸方向断面図である。
【図２６】実施例１１の収差図（球面収差（ａ）、非点収差（ｂ）、歪曲収差（ｃ）、メリディオナルコマ収差（ｄ））である。
【図２７】実施例１２の撮像レンズの光軸方向断面図である。
【図２８】実施例１２の収差図（球面収差（ａ）、非点収差（ｂ）、歪曲収差（ｃ）、メリディオナルコマ収差（ｄ））である。
【図２９】実施例１３の撮像レンズの光軸方向断面図である。
【図３０】実施例１３の収差図（球面収差（ａ）、非点収差（ｂ）、歪曲収差（ｃ）、メリディオナルコマ収差（ｄ））である。
【図３１】実施例１４の撮像レンズの光軸方向断面図である。
【図３２】実施例１４の収差図（球面収差（ａ）、非点収差（ｂ）、歪曲収差（ｃ）、メリディオナルコマ収差（ｄ））である。
【図３３】実施例１５の撮像レンズの光軸方向断面図である。
【図３４】実施例１５の収差図（球面収差（ａ）、非点収差（ｂ）、歪曲収差（ｃ）、メリディオナルコマ収差（ｄ））である。
【図３５】実施例１６の撮像レンズの光軸方向断面図である。
【図３６】実施例１６の収差図（球面収差（ａ）、非点収差（ｂ）、歪曲収差（ｃ）、メリディオナルコマ収差（ｄ））である。
【図３７】実施例１７の撮像レンズの光軸方向断面図である。
【図３８】実施例１７の収差図（球面収差（ａ）、非点収差（ｂ）、歪曲収差（ｃ）、メリディオナルコマ収差（ｄ））である。
【図３９】実施例１８の撮像レンズの光軸方向断面図である。
【図４０】実施例１８の収差図（球面収差（ａ）、非点収差（ｂ）、歪曲収差（ｃ）、メリディオナルコマ収差（ｄ））である。
【図４１】実施例１９の撮像レンズの光軸方向断面図である。
【図４２】実施例１８の収差図（球面収差（ａ）、非点収差（ｂ）、歪曲収差（ｃ）、メリディオナルコマ収差（ｄ））である。
【図４３】実施例２０の撮像レンズの光軸方向断面図である。
【図４４】実施例２０の収差図（球面収差（ａ）、非点収差（ｂ）、歪曲収差（ｃ）、メリディオナルコマ収差（ｄ））である。
【発明を実施するための形態】
【００６０】
以下、本発明の実施の形態を、図面を参照して説明する。図１は、本実施の形態にかかる撮像ユニット５０の斜視図であり、図２は、撮像ユニット５０の撮像光学系の光軸に沿った断面を模式的に示した図である。
【００６１】
図１に示すように、撮像ユニット５０は、光電変換部５１ａを有する固体撮像素子としてのＣＭＯＳ型撮像素子５１と、この撮像素子５１の光電変換部５１ａに被写体像を撮像させる撮像レンズ１０と、撮像素子５１を保持すると共にその電気信号の送受を行う外部接続用端子（外部接続端子ともいう）５４に接続された基板５２と、物体側からの光入射用の開口部を有し遮光部材からなる鏡筒としての筐体５３とを備え、これらが一体的に形成されている。
【００６２】
図２に示すように、撮像素子５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の平面の外縁近傍には、多数のパッド（図示略）が配置されており、ワイヤ（不図示）を介して基板５２に接続されている。撮像素子５１は、光電変換部５１ａからの信号電荷をデジタルＹＵＶ信号等の画像信号等に変換し、ワイヤＷを介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００６３】
基板５２は、その上面上で撮像素子５１及び筐体５３を支持する支持平板５２ａと、支持平板５２ａの下面（撮像素子５１と反対側の面）にその一端部が接続されたフレキシブル基板５２ｂとを備えている。
【００６４】
図示していないが、支持平板５２ａは多数の信号伝達用パッドを有しており、不図示の配線を介して撮像素子５１と接続されている。
【００６５】
図１において、フレキシブル基板５２ｂは、上記の如くその一端部が支持平板５２ａと接続され、その他端部に設けられた外部接続端子５４を介して支持平板５２ａと外部回路（例えば、撮像ユニットを実装した上位装置が有する制御回路）とを接続し、外部回路から撮像素子５１を駆動するための電圧やクロック信号の供給を受けたり、また、デジタルＹＵＶ信号を外部回路ヘ出力したりすることを可能とする。さらに、フレキシブル基板５２ｂの長手方向の中間部が可撓性又は変形性を備え、その変形により、支持平板５２ａに対して外部接続端子５４の向きや配置に自由度を与えている。
【００６６】
図２において、筐体５３は、基板５２の支持平板５２ａにおける撮像素子５１が設けられた面上に、撮像素子５１を覆うようにして固定配置されている。即ち、筐体５３は、撮像素子５１側の部分が撮像素子５１を囲むように広く開口されると共に、他端部（物体側端部）が小開口を有するフランジ部５３ａを形成しており、支持平板５２ａ上に撮像素子５１側の端部（像側端部）が当接固定されている。なお、筐体５３の撮像素子５１側の端部が、撮像素子５１上における光電変換部５１ａの周囲に当接固定されていても良い。
【００６７】
小開口（光入射用の開口部）が設けられたフランジ部５３ａを物体側に向けて配置された筐体５３の内部において、撮像レンズ１０と撮像素子５１との間に、カバーガラスＣＧが固定配置されている。尚、これ以外にＩＲ（赤外線）カットフィルタを設けても良い。
【００６８】
筐体５３内に配置された撮像レンズ１０は、物体側より順に、正の屈折力を有し物体側に凸面を向けた第１レンズＬ１、負の屈折力を有し物体側に凹面を向けた第２レンズＬ２、正の屈折力を有し像側に凸面を向けた第３レンズＬ３、負の屈折力を有し両凹形状を有する第４レンズＬ４、からなる。各レンズＬ１〜４は、隣接するレンズ間に配置されたスペーサＳＰにより所定間隔で保持されている。第４レンズＬ４は、物体側面および像側面が非球面形状とされており、光軸近傍から周辺に向かうに従い負の屈折力が弱くなる形状を有し、開口絞りＳが第２レンズＬ２より物体側に配置され、以下の条件式を満足する。
−１０＜ｆ１／ｆ４＜−１      （１）
−２００＜ｆ２／ｆ＜−1.４      （２）
３５＜νｄ４＜８５      （３）
ただし、
ｆ１：第１レンズＬ１の焦点距離
ｆ４：第４レンズＬ４の焦点距離
ｆ２：第２レンズＬ２の焦点距離
ｆ：撮像レンズ全系の焦点距離
νｄ４：第４レンズＬ４のアッベ数
なお、図１、２では上側を物体側、下側を像側としている。
【００６９】
図示は省略するが、第１レンズＬ１よりもさらに物体側に、外部からの不要光の入射をできるだけ少なくするための外部遮光マスクが設けられていても良い。又、開口絞りＳは、撮像レンズ全系のＦナンバーを決定する部材である。第４レンズＬ４とカバーガラスＣＧとの間にもスペーサＳＰが配置されている。
【００７０】
上述した撮像ユニット５０の動作について説明する。図３は、撮像ユニット５０を携帯端末としてのスマートフォン１００に装備した状態を示す。また、図４はスマートフォン１００の制御ブロック図である。
【００７１】
撮像ユニット５０は、例えば、筐体５３の物体側端面がスマートフォン１００の背面（図３（ｂ）参照）に設けられ、液晶表示部の下方に相当する位置に配設される。
【００７２】
撮像ユニット５０の外部接続端子５４（図４では矢印）は、スマートフォン１００の制御部１０１と接続され、輝度信号や色差信号等の画像信号を制御部１０１側に出力する。
【００７３】
一方、スマートフォン１００は、図４に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像ユニット５０により得られた撮像データ等を一時的に格納する作業領域として用いられる及び一時記憶部（ＲＡＭ）９２とを備えている。
【００７４】
スマートフォン１００は、入力キー部６０の操作によって動作し、タッチパネル７０に表示されたアイコン７１等をタッチすることで、撮像ユニット５０を動作させて撮像を行うことができる。撮像ユニット５０から入力された画像信号は、上記スマートフォン１００の制御系により、記憶部９２に記憶されたり、或いはタッチパネル７０で表示され、さらには、無線通信部８０を介して映像情報として外部に送信される。
［実施例］
【００７５】
以下、本発明の撮像レンズの実施例を示す。各実施例に使用する記号は下記の通りである。
ｆ：撮像レンズ全系の焦点距離
ｆＢ：バックフォーカス
Ｆ：Ｆナンバー
２ω：撮影画角
２Ｙ：固体撮像素子の撮像面対角線長
ENTP：入射瞳位置（第１面から入射瞳位置までの距離）
EXTP：射出瞳位置（撮像面から射出瞳位置までの距離）
H1：前側主点位置（第１面から前側主点位置までの距離）
H2：後側主点位置（最終面から後側主点位置までの距離）
Ｒ：曲率半径
Ｄ：軸上面間隔
Ｎｄ：レンズ材料のｄ線に対する屈折率
νｄ：レンズ材料のアッベ数
【００７６】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００７７】
【数１】
2013092584.tif 000003
ただし、
Ａｉ：ｉ次の非球面係数
Ｒ  ：曲率半径
Ｋ  ：円錐定数
【００７８】
なお、特許請求の範囲及び実施例に記載の近軸曲率半径の意味合いについて、実際のレンズ測定の場面においては、レンズ中央近傍（具体的には、レンズ外径に対して１０％以内の中央領域）での形状測定値を最小自乗法でフィッティングした際の近似曲率半径を近軸曲率半径であるとみなすことができる。また、例えば２次の非球面係数を使用した場合には、非球面定義式の基準曲率半径に２次の非球面係数も勘案した曲率半径を近軸曲率半径とみなすことができる。（例えば参考文献として、松居吉哉著「レンズ設計法」（共立出版株式会社）のＰ４１〜４２を参照のこと）
【００７９】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。
【００８０】
［表１］
実施例 1
f＝3.06mm    fB＝0.11mm    F＝2.1      2ω＝86°2Y＝5.8mm
ENTP＝0mm    EXTP＝-2.47mm    H1＝-0.57mm    H2＝-2.95mm
面番号  R(mm)   D(mm)   Nd      νd    有効半径(mm)
1(絞り) ∞      -0.11                  0.73
2*      1.500   0.59    1.5447  56     0.75 
3*      5.179   0.33                   0.81
4*      -4.186  0.29    1.6510  21     0.81
5*      -6.296  0.32                   0.92
6*      -3.125  0.66    1.5447  56     1.21 
7*      -0.883  0.41                   1.38 
8*      -8.744  0.32    1.5447  56     1.97 
9*      1.213   0.64                   2.41 
10      ∞      0.35    1.5163  64     3.00 
11      ∞                             3.00 
非球面係数
第2面                                第6面
K＝0.30147E-01                         K＝0.13272E+01
A4＝-0.83898E-02                       A4＝-0.52583E-02
A6＝0.18863E-01                        A6＝0.97220E-01
A8＝-0.81677E-01                       A8＝-0.35544E-01
A10＝0.14043E+00                       A10＝-0.61285E-01
A12＝-0.19535E+00                      A12＝0.70343E-01
A14＝-0.22057E-01
第3面                                第7面
K＝-0.14555E+02                        K＝-0.37223E+01
A4＝-0.38994E-01                       A4＝-0.20371E+00
A6＝-0.83415E-01                       A6＝0.24172E+00
A8＝-0.29394E-02                       A8＝-0.12840E+00
A10＝-0.14923E+00                      A10＝0.27103E-01
A12＝-0.88531E-01                      A12＝0.88721E-02
A14＝-0.41419E-02
第4面                                第8面
K＝0.18655E+02                         K＝0.32099E+01
A4＝-0.17851E+00                       A4＝-0.87650E-02
A6＝-0.39578E-01                       A6＝-0.13975E-01
A8＝-0.35103E-01                       A8＝0.26627E-02
A10＝0.64043E-01                       A10＝0.37524E-03
A12＝0.14813E+00                       A12＝-0.23856E-04
A14＝-0.18705E+00                      A14＝-0.89056E-05
第5面                                第9面
K＝0.22455E+02                         K＝-0.72583E+01
A4＝-0.85770E-01                       A4＝-0.54241E-01
A6＝0.66954E-01                        A6＝0.23451E-01
A8＝-0.72231E-01                       A8＝-0.99389E-02
A10＝0.16317E+00                       A10＝0.25085E-02
A12＝-0.15548E-01                      A12＝-0.34235E-03
A14＝-0.70478E-02                      A14＝0.18872E-04
単レンズデータ        
レンズ  始面   焦点距離(mm)
1       2      3.67
2       4     -20.27
3       6      2.05 
4       8     -1.93
【００８１】
図５は実施例１のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図６は、実施例１の収差図（球面収差（ａ）、非点収差（ｂ）、歪曲収差（ｃ）、メリディオナルコマ収差（ｄ））である。尚、以降の収差図において、球面収差図では、実線がｄ線、点線がｇ線を表し、非点収差図では、実線Ｓがサジタル像面、点線Ｍがメリジオナル像面をあらわすものとする。本実施例において、第４レンズＬ４は、物体側面および像側面が非球面形状とされており、光軸近傍から周辺に向かうに従い負の屈折力が弱くなる形状を有し、開口絞りＳが第２レンズＬ１より物体側に配置されている。
【００８２】
（実施例２）
実施例２の撮像レンズのレンズデータを、表２に示す。
【００８３】
［表２］
実施例 2
f＝3.78mm    fB＝0.07mm    F＝2.4      2ω＝78°2Y＝6.2mm
ENTP＝0mm    EXTP＝-3.34mm    H1＝-0.41mm    H2＝-3.71mm
面番号  R(mm)   D(mm)  Nd      νd    有効半径(mm)
1(絞り) ∞      -0.11                 0.79 
2*      1.656   0.52   1.5447  56     0.80 
3*      6.104   0.46                  0.83 
4*      -8.344  0.23   1.6347  24     0.85 
5*      -39.968 0.54                  0.97 
6*      -2.555  0.72   1.5447  56     1.21 
7*      -0.719  0.05                  1.44 
8*     -369.984 0.50   1.5489  50     1.92 
9*      0.864   1.16                  2.27 
10      ∞      0.50   1.5163  64     3.00 
11      ∞                            3.00 
非球面係数
第2面                                第6面
K＝-0.38615E-01                        K＝0.10572E+01
A4＝-0.16380E-01                       A4＝-0.17795E-01
A6＝0.32061E-01                        A6＝0.11006E+00
A8＝-0.15407E+00                       A8＝-0.48581E-01
A10＝0.19403E+00                       A10＝-0.86865E-01
A12＝-0.13145E+00                      A12＝0.99059E-01
A14＝-0.28809E-01
第3面                                第7面
K＝-0.12663E+02                        K＝-0.41123E+01
A4＝-0.34636E-01                       A4＝-0.20929E+00
A6＝-0.76570E-01                       A6＝0.27156E+00
A8＝0.50155E-01                        A8＝-0.17056E+00
A10＝-0.69382E-01                      A10＝0.34477E-01
A12＝0.38352E-02                       A12＝0.13503E-01
A14＝-0.50239E-02
第4面                                第8面
K＝-0.34162E+02                        K＝-0.10000E+02
A4＝-0.15159E+00                       A4＝-0.12640E-01
A6＝0.91415E-02                        A6＝-0.18877E-01
A8＝-0.59791E-01                       A8＝0.35112E-02
A10＝0.55533E-01                       A10＝0.69765E-03
A12＝0.24474E+00                       A12＝-0.36370E-05
A14＝-0.18975E+00                      A14＝-0.27996E-04
第5面                                第9面
K＝0.50000E+02                         K＝-0.76680E+01
A4＝-0.73359E-01                       A4＝-0.68937E-01
A6＝0.54724E-01                        A6＝0.28326E-01
A8＝-0.10062E+00                       A8＝-0.12150E-01
A10＝0.18834E+00                       A10＝0.31889E-02
A12＝-0.50482E-01                      A12＝-0.47433E-03
A14＝-0.64678E-02                      A14＝0.30108E-04
単レンズデータ
レンズ  始面   焦点距離(mm)
1       2      4.01 
2       4     -16.66 
3       6      1.61 
4       8     -1.57 
【００８４】
図７は実施例２のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図８は、実施例２の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第２レンズＬ１より物体側に配置されている。
【００８５】
（実施例３）
実施例３の撮像レンズのレンズデータを、表３に示す。
【００８６】
［表３］
実施例 3
f＝3.84mm    fB＝0.09mm    F＝2.4      2ω＝76°2Y＝6mm
ENTP＝0mm    EXTP＝-3.20mm    H1＝-0.65mm    H2＝-3.75mm
面番号  R(mm)   D(mm)  Nd      νd    有効半径(mm)
1(絞り) ∞      -0.13                 0.80 
2*      1.488   0.62   1.5447   56    0.84 
3*      4.861   0.32                  0.87 
4*      -6.700  0.23   1.6347   24    0.87 
5*    -127.558  0.56                  0.94 
6*     -3.078   0.81   1.5447   56    1.17 
7*     -0.915   0.22                  1.45 
8*    -400.000  0.43   1.5447   56    2.07 
9*      1.138   1.12                  2.38 
10      ∞      0.30   1.5163   64    3.00 
11      ∞                            3.00 
非球面係数
第2面                                第6面
K＝-0.13773E+00                        K＝0.30827E+00
A4＝0.86507E-02                        A4＝-0.13349E-01
A6＝0.20416E-01                        A6＝0.38107E-02
A8＝-0.61096E-01                       A8＝0.14070E-02
A10＝0.96096E-01                       A10＝-0.25548E-01
A12＝-0.81283E-01                      A12＝0.17669E-01
A14＝-0.41764E-02
第3面                                第7面
K＝-0.65991E+01                        K＝-0.40584E+01
A4＝-0.14594E-01                       A4＝-0.17770E+00
A6＝-0.10386E+00                       A6＝0.15300E+00
A8＝0.12528E+00                        A8＝-0.90314E-01
A10＝-0.31111E+00                      A10＝0.25444E-01
A12＝0.15734E+00                       A12＝0.37283E-02
A14＝-0.22399E-02
第4面                                第8面
K＝0.48750E+02                         K＝0.55229E-10
A4＝-0.10327E+00                       A4＝-0.92393E-01
A6＝-0.24522E-01                       A6＝0.26945E-01
A8＝-0.10408E+00                       A8＝-0.16748E-02
A10＝-0.39045E-01                      A10＝-0.15538E-03
A12＝0.22110E+00                       A12＝-0.10630E-04
A14＝0.37626E-05
第5面                                第9面
K＝0.00000E+00                         K＝-0.77711E+01
A4＝-0.20742E-01                       A4＝-0.74947E-01
A6＝-0.28921E-01                       A6＝0.22787E-01
A8＝0.67774E-01                        A8＝-0.54415E-02
A10＝-0.74503E-01                      A10＝0.73767E-03
A12＝0.11875E+00                       A12＝-0.50761E-04
A14＝0.13325E-05
単レンズデータ
レンズ  始面    焦点距離(mm)
1       2       3.70 
2       4      -11.15
3       6       2.11 
4       8      -2.08 
【００８７】
図９は実施例３のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図１０は、実施例３の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第２レンズＬ１より物体側に配置されている。
【００８８】
（実施例４）
実施例４の撮像レンズのレンズデータを、表４に示す。
【００８９】
［表４］
実施例 4
f＝3.06mm    fB＝0.10mm    F＝2.1      2ω＝86°2Y＝5.8mm
ENTP＝0.50mm    EXTP＝-2.31mm    H1＝-0.32mm    H2＝-2.95mm
面番号  R(mm)   D(mm)  Nd      νd    有効半径(mm)
1*      1.410   0.49   1.5447   56    0.86 
2*      4.016   0.10                  0.71 
3(絞り) ∞      0.31                  0.65 
4*      -4.078  0.26   1.6510   21    0.74 
5*      -4.898  0.31                  0.89 
6*      -2.814  0.67   1.5447   56    1.21 
7*      -0.868  0.38                  1.45 
8*      -6.276  0.31   1.5447   56    2.00 
9*      1.318   0.66                  2.38 
10      ∞      0.40   1.5163   64    3.00 
11      ∞                            3.00 
非球面係数
第1面                                第6面
K＝0.99692E-01                         K＝0.18574E+01
A4＝-0.26783E-02                       A4＝-0.20977E-01
A6＝0.26894E-01                        A6＝0.10071E+00
A8＝-0.83089E-01                       A8＝-0.31422E-01
A10＝0.15472E+00                       A10＝-0.59314E-01
A12＝-0.17570E+00                      A12＝0.70731E-01
A14＝-0.21695E-01
第2面                                第7面
K＝0.54948E+01                         K＝-0.36845E+01
A4＝-0.16236E-01                       A4＝-0.21987E+00
A6＝-0.71824E-01                       A6＝0.24034E+00
A8＝0.17011E-01                        A8＝-0.12553E+00
A10＝-0.12224E+00                      A10＝0.28158E-01
A12＝-0.45981E-01                      A12＝0.89338E-02
A14＝-0.42701E-02
第4面                                第8面
K＝0.17958E+02                         K＝-0.39931E+01
A4＝-0.15624E+00                       A4＝-0.60568E-02
A6＝-0.65068E-01                       A6＝-0.12494E-01
A8＝-0.47143E-01                       A8＝0.25998E-02
A10＝0.82095E-01                       A10＝0.32591E-03
A12＝0.18875E+00                       A12＝-0.32742E-04
A14＝-0.11447E+00                      A14＝-0.74188E-05
第5面                                第9面
K＝0.13197E+02                         K＝-0.83586E+01
A4＝-0.86630E-01                       A4＝-0.56349E-01
A6＝0.51756E-01                        A6＝0.24474E-01
A8＝-0.95635E-01                       A8＝-0.10101E-01
A10＝0.16034E+00                       A10＝0.24830E-02
A12＝0.85307E-02                       A12＝-0.33960E-03
A14＝0.32451E-01                       A14＝0.19230E-04
単レンズデータ
レンズ  始面    焦点距離(mm)
1       1       3.74 
2       4      -42.72 
3       6       2.05 
4       8      -1.97
【００９０】
図１１は実施例４のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図１２は、実施例４の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１と第２レンズＬ１の間に配置されている。
【００９１】
（実施例５）
実施例５の撮像レンズのレンズデータを、表５に示す。
【００９２】
［表５］
実施例 5
f＝2.67mm    fB＝0.14mm    F＝2.4      2ω＝94°2Y＝5.8mm
ENTP＝0mm    EXTP＝-2.35mm    H1＝-0.18mm    H2＝-2.52mm
面番号  R(mm)   D(mm)  Nd      νd    有効半径(mm)
1(絞り) ∞      -0.06                 0.56 
2*      1.415   0.35   1.5447   56    0.56 
3*      3.746   0.28                  0.64 
4*     -7.258   0.23   1.6347   24    0.70 
5*     -8.831   0.38                  0.81 
6*     -3.015   0.60   1.5447   56    1.14 
7*     -0.788   0.32                  1.29 
8*     -20.000  0.35   1.5447   56    1.94 
9*      1.058   0.75                  2.38 
10      ∞      0.15   1.5163   64    3.00 
11      ∞                            3.00
非球面係数
第2面                                第6面
K＝0.14348E+00                         K＝0.12662E+01
A4＝-0.32717E-02                       A4＝-0.26222E-02
A6＝0.29191E-01                        A6＝0.95001E-01
A8＝-0.13327E+00                       A8＝-0.35151E-01
A10＝-0.35761E-01                      A10＝-0.59584E-01
A12＝-0.17836E+00                      A12＝0.70789E-01
A14＝-0.23606E-01
第3面                                第7面
K＝-0.57384E+01                        K＝-0.33367E+01
A4＝-0.23392E-01                       A4＝-0.20870E+00
A6＝-0.48463E-01                       A6＝0.26111E+00
A8＝-0.50428E-01                       A8＝-0.12434E+00
A10＝-0.32318E+00                      A10＝0.26306E-01
A12＝-0.41912E+00                      A12＝0.79188E-02
A14＝-0.44961E-02
第4面                                第8面
K＝0.49474E+02                         K＝0.10000E+02
A4＝-0.18580E+00                       A4＝-0.95526E-02
A6＝-0.53863E-02                       A6＝-0.14596E-01
A8＝0.75224E-02                        A8＝0.28209E-02
A10＝0.12428E+00                       A10＝0.38867E-03
A12＝0.18933E+00                       A12＝-0.32980E-04
A14＝-0.32429E+00                      A14＝-0.87067E-05
第5面                                第9面
K＝0.45142E+02                         K＝-0.69072E+01
A4＝-0.94858E-01                       A4＝-0.56709E-01
A6＝0.79143E-01                        A6＝0.23824E-01
A8＝-0.42475E-01                       A8＝-0.98111E-02
A10＝0.20169E+00                       A10＝0.24867E-02
A12＝0.40499E-01                       A12＝-0.34367E-03
A14＝0.91278E-01                       A14＝0.19116E-04
単レンズデータ
レンズ  始面    焦点距離(mm)
1       2       3.96 
2       4      -67.98 
3       6       1.79 
4       8      -1.83 
【００９３】
図１３は実施例５のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図１４は、実施例５の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第２レンズＬ１より物体側に配置されている。
【００９４】
（実施例６）
実施例６の撮像レンズのレンズデータを、表６に示す。
【００９５】
［表６］
実施例 6
f＝2.85mm    fB＝0.13mm    F＝2.4      2ω＝90°2Y＝5.8mm
ENTP＝0mm    EXTP＝-2.44mm    H1＝-0.31mm    H2＝-2.72mm
面番号  R(mm)   D(mm)  Nd      νd    有効半径(mm)
1(絞り) ∞      -0.06                 0.59 
2*      1.503   0.37   1.5447   56    0.61 
3*      5.047   0.33                  0.68 
4*     -6.323   0.27   1.6347   24    0.76 
5*     -12.402  0.39                  0.88 
6*     -3.337   0.60   1.5447   56    1.19 
7*     -0.850   0.37                  1.34 
8*     -20.000  0.35   1.5447   56    1.97 
9*      1.118   0.78                  2.41 
10      ∞      0.15   1.5163   64    3.00 
11      ∞                            3.00 
非球面係数
第2面                                第6面
K＝-0.15370E-01                        K＝0.85181E+00
A4＝-0.11492E-01                       A4＝0.54124E-03
A6＝0.21397E-01                        A6＝0.95316E-01
A8＝-0.12059E+00                       A8＝-0.38017E-01
A10＝0.60804E-01                       A10＝-0.62814E-01
A12＝-0.17836E+00                      A12＝0.70374E-01
A14＝-0.21335E-01
第3面                                第7面
K＝-0.14652E+02                        K＝-0.34764E+01
A4＝-0.31025E-01                       A4＝-0.18949E+00
A6＝-0.55233E-01                       A6＝0.25167E+00
A8＝-0.41642E-02                       A8＝-0.12854E+00
A10＝-0.17304E+00                      A10＝0.26181E-01
A12＝-0.81275E-01                      A12＝0.85962E-02
A14＝-0.41463E-02
第4面                                第8面
K＝0.11379E+02                         K＝0.61855E+00
A4＝-0.16313E+00                       A4＝-0.92964E-02
A6＝0.24857E-01                        A6＝-0.14938E-01
A8＝0.16295E-01                        A8＝0.26285E-02
A10＝0.10170E+00                       A10＝0.39591E-03
A12＝0.17228E+00                       A12＝-0.17987E-04
A14＝-0.20959E+00                      A14＝-0.10182E-04
第5面                                第9面
K＝0.30621E+02                         K＝-0.65136E+01
A4＝-0.72777E-01                       A4＝-0.54395E-01
A6＝0.81336E-01                        A6＝0.23402E-01
A8＝-0.59775E-01                       A8＝-0.98289E-02
A10＝0.16537E+00                       A10＝0.24915E-02
A12＝-0.18433E-01                      A12＝-0.34215E-03
A14＝0.33570E-02                       A14＝0.18859E-04
単レンズデータ
レンズ  始面    焦点距離(mm)
1       2       3.79 
2       4      -20.68 
3       6       1.93 
4       8      -1.93 
【００９６】
図１５は実施例６のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図１６は、実施例６の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第２レンズＬ１より物体側に配置されている。
【００９７】
（実施例７）
実施例７の撮像レンズのレンズデータを、表７に示す。
【００９８】
［表７］
実施例 7
f＝3.86mm    fB＝0.10mm    F＝2.4      2ω＝76°2Y＝6.2mm
ENTP＝0mm    EXTP＝-3.48mm    H1＝-0.29mm    H2＝-3.76mm
面番号  R(mm)   D(mm)  Nd      νd    有効半径(mm)
1(絞り) ∞      -0.10                 0.80 
2*      1.599   0.57   1.5447   56    0.86 
3*      9.283   0.45                  0.92 
4*     -1.766   0.23   1.6347   24    0.94 
5*     -2.550   0.48                  0.97 
6*     -2.240   0.65   1.5447   56    1.17 
7*     -0.751   0.05                  1.39 
8*     -72.997  0.50   1.5624   44    1.87 
9*      1.035   1.38                  2.20 
10      ∞      0.30   1.5163   64    3.00 
11      ∞                            3.00 
非球面係数
第2面                                第6面
K＝-0.59949E-01                        K＝0.62633E+00
A4＝-0.10243E-01                       A4＝-0.38756E-01
A6＝0.17847E-01                        A6＝0.14479E+00
A8＝-0.16046E+00                       A8＝-0.52039E-01
A10＝0.24073E+00                       A10＝-0.97251E-01
A12＝-0.20531E+00                      A12＝0.10059E+00
A14＝-0.28105E-01
第3面                                第7面
K＝-0.24893E+02                        K＝-0.40221E+01
A4＝-0.47590E-01                       A4＝-0.21770E+00
A6＝-0.10240E+00                       A6＝0.28255E+00
A8＝0.41818E-01                        A8＝-0.16584E+00
A10＝-0.12889E+00                      A10＝0.32402E-01
A12＝0.65945E-01                       A12＝0.12266E-01
A14＝-0.47838E-02
第4面                                第8面
K＝-0.44200E+01                        K＝-0.10000E+02
A4＝-0.14767E+00                       A4＝0.17542E-02
A6＝0.68624E-01                        A6＝-0.15572E-01
A8＝-0.33964E-01                       A8＝0.38795E-02
A10＝0.45578E-01                       A10＝0.14421E-03
A12＝0.16418E+00                       A12＝-0.86800E-04
A14＝-0.10481E+00                      A14＝0.24730E-05
第5面                                第9面
K＝-0.40416E+01                        K＝-0.96676E+01
A4＝-0.16354E-01                       A4＝-0.65060E-01
A6＝0.13897E+00                        A6＝0.27582E-01
A8＝-0.11442E+00                       A8＝-0.10768E-01
A10＝0.16257E+00                       A10＝0.25746E-02
A12＝-0.42166E-01                      A12＝-0.35198E-03
A14＝0.69704E-02                       A14＝0.20871E-04
単レンズデータ
レンズ  始面    焦点距離(mm)
1       2       3.46 
2       4      -10.22 
3       6       1.80 
4       8      -1.81 
【００９９】
図１７は実施例７のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図１８は、実施例７の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第２レンズＬ１より物体側に配置されている。
【０１００】
（実施例８）
実施例８の撮像レンズのレンズデータを、表８に示す。
【０１０１】
［表８］
実施例 8
f＝2.68mm    fB＝0.13mm    F＝2.4      2ω＝94°2Y＝5.8mm
ENTP＝0mm    EXTP＝-2.33mm    H1＝-0.23mm    H2＝-2.54mm
面番号  R(mm)   D(mm)  Nd      νd    有効半径(mm)
1(絞り) ∞     -0.06                  0.56 
2*      1.389   0.35   1.5447   56    0.57 
3*      3.543   0.28                  0.64 
4*     -7.394   0.21   1.6320   23    0.70 
5*     -8.481   0.40                  0.80 
6*     -2.968   0.61   1.5447   56    1.14 
7*     -0.803   0.37                  1.31 
8*    -20.000   0.30   1.5447   56    1.98 
9*      1.067   0.72                  2.41 
10      ∞      0.15   1.5163   64    3.00 
11      ∞                            3.00 
非球面係数
第2面                                第6面
K＝0.15013E+00                         K＝0.16905E+01
A4＝-0.29642E-02                       A4＝-0.88427E-02
A6＝0.29278E-01                        A6＝0.96810E-01
A8＝-0.13014E+00                       A8＝-0.35338E-01
A10＝-0.17196E-01                      A10＝-0.58921E-01
A12＝-0.17836E+00                      A12＝0.71341E-01
A14＝-0.23925E-01
第3面                                第7面
K＝-0.47261E+01                        K＝-0.34218E+01
A4＝-0.21699E-01                       A4＝-0.21826E+00
A6＝-0.53721E-01                       A6＝0.25966E+00
A8＝-0.58171E-01                       A8＝-0.12408E+00
A10＝-0.32125E+00                      A10＝0.26297E-01
A12＝-0.45663E+00                      A12＝0.78947E-02
A14＝-0.43985E-02
第4面                                第8面
K＝0.50000E+02                         K＝0.63597E+01
A4＝-0.19716E+00                       A4＝-0.11381E-01
A6＝-0.23317E-01                       A6＝-0.14739E-01
A8＝-0.76042E-02                       A8＝0.28427E-02
A10＝0.12423E+00                       A10＝0.37260E-03
A12＝0.20547E+00                       A12＝-0.38292E-04
A14＝-0.32951E+00                      A14＝-0.67301E-05
第5面                                第9面
K＝0.41560E+02                         K＝-0.66946E+01
A4＝-0.10204E+00                       A4＝-0.54654E-01
A6＝0.72751E-01                        A6＝0.23162E-01
A8＝-0.40773E-01                       A8＝-0.97879E-02
A10＝0.21239E+00                       A10＝0.24938E-02
A12＝0.60078E-01                       A12＝-0.34408E-03
A14＝0.11905E+00                       A14＝0.19086E-04
単レンズデータ
レンズ  始面   焦点距離(mm)
1       2      3.96 
2       4     -98.80 
3       6      1.84 
4       8     -1.85 
【０１０２】
図１９は実施例８のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図２０は、実施例８の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第２レンズＬ１より物体側に配置されている。
【０１０３】
（実施例９）
実施例９の撮像レンズのレンズデータを、表９に示す。
【０１０４】
［表９］
実施例 9
f＝3.74mm    fB＝0.06mm    F＝2.4      2ω＝76°2Y＝6mm
ENTP＝0mm    EXTP＝-3.44mm    H1＝-0.27mm    H2＝-3.69mm
面番号  R(mm)   D(mm)  Nd      νd    有効半径(mm)
1(絞り) ∞      -0.13                 0.78 
2*      1.586   0.53   1.5447   56    0.80 
3*      5.603   0.39                  0.86 
4*     -8.648   0.23   1.6347   24    0.89 
5*      76.652  0.53                  0.97 
6*     -2.609   0.72   1.5447   56    1.20 
7*     -0.712   0.05                  1.44 
8*    -400.000  0.46   1.5447   56    1.91 
9*      0.886   1.37                  2.21 
10      ∞      0.30   1.5163   64    3.00 
11      ∞                            3.00 
非球面係数
第2面                                第6面
K＝0.11572E-01                         K＝0.10455E+01
A4＝-0.13767E-01                       A4＝-0.20266E-01
A6＝0.33973E-01                        A6＝0.11402E+00
A8＝-0.15110E+00                       A8＝-0.48914E-01
A10＝0.19686E+00                       A10＝-0.86805E-01
A12＝-0.14520E+00                      A12＝0.99168E-01
A14＝-0.29336E-01
第3面                                第7面
K＝-0.11408E+02                        K＝-0.41959E+01
A4＝-0.35541E-01                       A4＝-0.21310E+00
A6＝-0.83653E-01                       A6＝0.27535E+00
A8＝0.41062E-01                        A8＝-0.16926E+00
A10＝-0.74162E-01                      A10＝0.34574E-01
A12＝0.58004E-02                       A12＝0.13338E-01
A14＝-0.51640E-02
第4面                                第8面
K＝-0.82900E+01                        K＝-0.10000E+02
A4＝-0.15536E+00                       A4＝-0.70033E-02
A6＝0.22389E-02                        A6＝-0.18607E-01
A8＝-0.64413E-01                       A8＝0.33867E-02
A10＝0.60276E-01                       A10＝0.62127E-03
A12＝0.25267E+00                       A12＝-0.14689E-04
A14＝-0.19672E+00                      A14＝-0.22929E-04
第5面                                第9面
K＝0.50000E+02                         K＝-0.83848E+01
A4＝-0.69429E-01                       A4＝-0.69588E-01
A6＝0.60864E-01                        A6＝0.28184E-01
A8＝-0.94340E-01                       A8＝-0.12047E-01
A10＝0.18969E+00                       A10＝0.31635E-02
A12＝-0.49295E-01                      A12＝-0.48154E-03
A14＝-0.52681E-02                      A14＝0.31990E-04
単レンズデータ
レンズ  始面   焦点距離(mm)
1       2      3.88 
2       4     -12.23 
3       6      1.58 
4       8     -1.62
【０１０５】
図２１は実施例９のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図２２は、実施例９の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第２レンズＬ１より物体側に配置されている。
【０１０６】
（実施例１０）
実施例１０の撮像レンズのレンズデータを、表１０に示す。
【０１０７】
［表１０］
実施例 10
f＝3.74mm    fB＝0.07mm    F＝2.4      2ω＝76°2Y＝6mm
ENTP＝0.47mm    EXTP＝-3.09mm    H1＝-0.23mm    H2＝-3.68mm
面番号  R(mm)   D(mm)  Nd      νd    有効半径(mm)
1*      1.592   0.55   1.5447   56    0.90 
2*      7.300   0.05                  0.75 
3(絞り) ∞      0.44                  0.71 
4*     -2.394   0.23   1.6347   24    0.80 
5*     -4.034   0.47                  0.92 
6*     -2.672   0.68   1.5447   56    1.19 
7*     -0.802   0.08                  1.43 
8*    -399.112  0.54   1.5447   56    2.07 
9*      1.038   1.25                  2.35 
10      ∞      0.30   1.5163   64    3.00 
11      ∞                            3.00
非球面係数
第1面                                第6面
K＝-0.16546E-01                        K＝0.11024E+01
A4＝-0.10768E-01                       A4＝-0.26205E-01
A6＝0.14588E-01                        A6＝0.98230E-01
A8＝-0.12101E+00                       A8＝-0.38766E-01
A10＝0.16782E+00                       A10＝-0.67015E-01
A12＝-0.14822E+00                      A12＝0.66590E-01
A14＝-0.17424E-01
第2面                                第7面
K＝-0.27699E+02                        K＝-0.40898E+01
A4＝-0.38562E-01                       A4＝-0.19048E+00
A6＝-0.76661E-01                       A6＝0.23934E+00
A8＝0.20031E-01                        A8＝-0.13091E+00
A10＝-0.10134E+00                      A10＝0.22294E-01
A12＝0.42691E-01                       A12＝0.86886E-02
A14＝-0.29554E-02
第4面                                第8面
K＝-0.15830E+01                        K＝0.10000E+02
A4＝-0.15893E+00                       A4＝-0.97367E-03
A6＝0.24116E-01                        A6＝-0.11842E-01
A8＝-0.11529E-01                       A8＝0.33098E-02
A10＝0.55473E-01                       A10＝0.31862E-04
A12＝0.20643E+00                       A12＝-0.81974E-04
A14＝-0.15777E+00                      A14＝0.66559E-05
第5面                                第9面
K＝0.27793E+01                         K＝-0.82674E+01
A4＝-0.56831E-01                       A4＝-0.59184E-01
A6＝0.72718E-01                        A6＝0.23979E-01
A8＝-0.45919E-01                       A8＝-0.93016E-02
A10＝0.14639E+00                       A10＝0.21940E-02
A12＝-0.44515E-01                      A12＝-0.29518E-03
A14＝0.59961E-02                       A14＝0.17032E-04
単レンズデータ
レンズ  始面   焦点距離(mm)
1       1      3.62 
2       4     -9.81 
3       6      1.87 
4       8     -1.90 
【０１０８】
図２３は実施例１０のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図２４は、実施例１０の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１と第２レンズＬ２の間に配置されている。
【０１０９】
（実施例１１）
実施例１１の撮像レンズのレンズデータを、表１１に示す。
【０１１０】
［表１１］
実施例 11
f＝3.56mm    fB＝0.09mm    F＝2.4      2ω＝78°2Y＝6mm
ENTP＝0mm    EXTP＝-3.26mm    H1＝-0.22mm    H2＝-3.46mm
面番号  R(mm)   D(mm)  Nd      νd    有効半径(mm)
1(絞り) ∞      -0.06                 0.75 
2*      1.984   0.55   1.5447   56    0.77 
3*      14.154  0.51                  0.87
4*      -6.863  0.23   1.6347   24    0.97 
5*     -21.750  0.48                  1.07 
6*      -2.781  0.66   1.5447   56    1.24 
7*      -0.813  0.22                  1.40 
8*     -935.549 0.45   1.5862   37    1.99 
9*      1.120   1.12                  2.37 
10      ∞      0.30   1.5163   64    3.00 
11      ∞                            3.00 
非球面係数
第2面                                第6面
K＝-0.29133E+00                        K＝0.13176E+01
A4＝-0.17626E-01                       A4＝-0.19538E-01
A6＝0.33279E-02                        A6＝0.89230E-01
A8＝-0.12130E+00                       A8＝-0.39503E-01
A10＝0.17526E+00                       A10＝-0.60784E-01
A12＝-0.12342E+00                      A12＝0.72694E-01
A14＝-0.21504E-01
第3面                                第7面
K＝-0.17249E+02                        K＝-0.37241E+01
A4＝-0.57123E-01                       A4＝-0.19999E+00
A6＝-0.62571E-01                       A6＝0.23588E+00
A8＝0.57193E-01                        A8＝-0.13508E+00
A10＝-0.50699E-01                      A10＝0.27305E-01
A12＝-0.17113E-01                      A12＝0.97445E-02
A14＝-0.35590E-02
第4面                                第8面
K＝0.84903E+01                         K＝-0.24888E+01
A4＝-0.16379E+00                       A4＝-0.38904E-02
A6＝0.33401E-01                        A6＝-0.10810E-01
A8＝-0.22027E-01                       A8＝0.17636E-02
A10＝0.50100E-01                       A10＝0.19910E-03
A12＝0.16089E+00                       A12＝-0.12422E-04
A14＝-0.14706E+00                      A14＝-0.42476E-05
第5面                                第9面
K＝-0.40819E+02                        K＝-0.81146E+01
A4＝-0.99704E-01                       A4＝-0.44956E-01
A6＝0.53055E-01                        A6＝0.16051E-01
A8＝-0.80428E-01                       A8＝-0.60616E-02
A10＝0.14804E+00                       A10＝0.13601E-02
A12＝-0.34123E-01                      A12＝-0.16726E-03
A14＝-0.19387E-01                      A14＝0.85109E-05
単レンズデータ
レンズ  始面    焦点距離(mm)
1       2       4.17 
2       4      -15.89 
3       6       1.89 
4       8      -1.91 
【０１１１】
図２５は実施例１１のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図２６は、実施例１１の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１より物体側に配置されている。
【０１１２】
（実施例１２）
実施例１２の撮像レンズのレンズデータを、表１２に示す。
【０１１３】
［表１２］
実施例 12
f＝3.20mm    fB＝0.12mm    F＝2.2      2ω＝84°2Y＝5.8mm
ENTP＝0mm    EXTP＝-2.77mm    H1＝-0.35mm    H2＝-3.09mm
面番号  R(mm)   D(mm)  Nd      νd    有効半径(mm)
1(絞り) ∞      -0.13                 0.73 
2*      1.394   0.47   1.5891   61    0.76 
3*      3.257   0.36                  0.78 
4*     -5.648   0.21   1.6347   24    0.77 
5*     -11.656  0.44                  0.85 
6*     -2.552   0.60   1.5447   56    1.25 
7*     -0.784   0.20                  1.37 
8*     -17.876  0.45   1.5447   56    1.95 
9*      1.117   1.02                  2.32 
10      ∞      0.15   1.5163   64    3.00 
11      ∞                            3.00 
非球面係数
第2面                                第6面
K＝0.15513E+00                         K＝0.11210E+01
A4＝-0.40487E-02                       A4＝-0.77046E-02
A6＝0.25119E-01                        A6＝0.11237E+00
A8＝-0.73266E-01                       A8＝-0.41853E-01
A10＝0.14276E+00                       A10＝-0.64116E-01
A12＝-0.22744E+00                      A12＝0.72032E-01
A14＝-0.19788E-01
第3面                                第7面
K＝-0.10238E+01                        K＝-0.34411E+01
A4＝-0.15494E-01                       A4＝-0.21255E+00
A6＝-0.87481E-01                       A6＝0.24550E+00
A8＝0.11841E-01                        A8＝-0.12552E+00
A10＝-0.14371E+00                      A10＝0.27726E-01
A12＝-0.23837E+00                      A12＝0.87314E-02
A14＝-0.41362E-02
第4面                                第8面
K＝0.44402E+02                         K＝0.14629E+01
A4＝-0.17265E+00                       A4＝-0.88500E-02
A6＝-0.90660E-01                       A6＝-0.11185E-01
A8＝-0.99547E-01                       A8＝0.27765E-02
A10＝0.39095E-01                       A10＝0.24707E-03
A12＝0.22236E+00                       A12＝-0.54203E-04
A14＝-0.23186E-01                      A14＝-0.32121E-05
第5面                                第9面
K＝0.49987E+02                         K＝-0.85978E+01
A4＝-0.88605E-01                       A4＝-0.62564E-01
A6＝0.28372E-01                        A6＝0.25896E-01
A8＝-0.88042E-01                       A8＝-0.10176E-01
A10＝0.18618E+00                       A10＝0.24708E-02
A12＝0.42285E-01                       A12＝-0.34085E-03
A14＝0.59687E-01                       A14＝0.19746E-04
単レンズデータ
レンズ  始面    焦点距離(mm)
1       2       3.78 
2       4      -17.50 
3       6       1.85 
4       8      -1.91 
【０１１４】
図２７は実施例１２のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図２８は、実施例１２の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１より物体側に配置されている。
【０１１５】
（実施例１３）
実施例１３の撮像レンズのレンズデータを、表１３に示す。
【０１１６】
［表１３］
実施例 13
f＝3.75mm    fB＝0.09mm    F＝2.4      2ω＝76°2Y＝6mm
ENTP＝0mm    EXTP＝-2.73mm    H1＝-1.25mm    H2＝-3.66mm
面番号  R(mm)   D(mm)  Nd      νd    有効半径(mm)
1(絞り) ∞      -0.22                 0.78 
2*      1.285   0.60   1.4970   82    0.78 
3*      4.162   0.35                  0.74
4*     -6.008   0.23   1.6347   24    0.78 
5*     -16.637  0.51                  0.88 
6*     -3.040   0.79   1.5447   56    1.14 
7*     -0.888   0.25                  1.46 
8*     -4.599   0.41   1.5447   56    2.03 
9*      1.237   0.92                  2.38 
10      ∞      0.25   1.5163   64    3.00 
11      ∞                            3.00 
非球面係数
第2面                                第6面
K＝0.29484E-01                         K＝-0.78103E+00
A4＝0.91431E-02                        A4＝-0.12222E-01
A6＝0.49269E-01                        A6＝0.21749E-01
A8＝-0.66730E-01                       A8＝-0.11855E-01
A10＝0.78168E-01                       A10＝-0.42380E-01
A12＝0.32799E-01                       A12＝0.33038E-01
A14＝-0.63781E-02
第3面                                第7面
K＝0.15331E+02                         K＝-0.40121E+01
A4＝0.72053E-02                        A4＝-0.17664E+00
A6＝-0.26130E-01                       A6＝0.18299E+00
A8＝0.16847E+00                        A8＝-0.10012E+00
A10＝-0.33593E+00                      A10＝0.24353E-01
A12＝0.38601E+00                       A12＝0.31056E-02
A14＝-0.19064E-02
第4面                                第8面
K＝0.49993E+02                         K＝-0.10000E+02
A4＝-0.39726E-02                       A4＝-0.70466E-01
A6＝-0.29688E-01                       A6＝0.28758E-01
A8＝0.17329E-01                        A8＝-0.30190E-02
A10＝0.68944E-01                       A10＝-0.12482E-03
A12＝0.60907E-01                       A12＝0.17603E-04
A14＝0.12433E-05
第5面                                第9面
K＝0.00000E+00                         K＝-0.10000E+02
A4＝0.56402E-01                        A4＝-0.75423E-01
A6＝-0.78150E-01                       A6＝0.25067E-01
A8＝0.12778E+00                        A8＝-0.59760E-02
A10＝-0.58150E-01                      A10＝0.75217E-03
A12＝0.63053E-01                       A12＝-0.43817E-04
A14＝0.57626E-06
単レンズデータ
レンズ  始面   焦点距離(mm)
1       2      3.50 
2       4     -14.94 
3       6      2.04 
4       8     -1.75 
【０１１７】
図２９は実施例１３のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図３０は、実施例１３の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１の物体側に配置されている。
【０１１８】
（実施例１４）
実施例１４の撮像レンズのレンズデータを、表１４に示す。
【０１１９】
［表１４］
実施例 14
f＝3.76mm    fB＝0.40mm    F＝2.4      2ω＝76°2Y＝6mm
ENTP＝0.55mm    EXTP＝-2.58mm    H1＝-0.44mm    H2＝-3.37mm
面番号  R(mm)   D(mm)  Nd     νd    有効半径(mm)
1*      1.416   0.56   1.5690  71    0.80 
2*      3.925   0.10                 0.70 
3(絞り) ∞      0.23                 0.68 
4*     -6.461   0.20   1.6347  24    0.74 
5*     -44.230  0.57                 0.84 
6*     -2.774   0.76   1.5447  56    1.12 
7*     -0.892   0.21                 1.39 
8*     -2000.0  0.39   1.5447  56    2.05 
9*      1.150   0.84                 2.30 
10      ∞      0.25   1.5163  64    3.00 
11      ∞                           3.00 
非球面係数
第1面                                第6面
K＝-0.25566E-01                        K＝0.10364E+01
A4＝0.56675E-02                        A4＝-0.14432E-01
A6＝0.38771E-01                        A6＝-0.73508E-02
A8＝-0.69636E-01                       A8＝0.19913E-01
A10＝0.70836E-01                       A10＝-0.37585E-01
A12＝-0.39800E-01                      A12＝0.22811E-01
A14＝-0.50129E-02
第2面                                第7面
K＝0.37310E+01                         K＝-0.40340E+01
A4＝-0.92571E-02                       A4＝-0.19058E+00
A6＝-0.98911E-01                       A6＝0.16226E+00
A8＝0.15909E+00                        A8＝-0.10287E+00
A10＝-0.31790E+00                      A10＝0.31654E-01
A12＝0.13744E+00                       A12＝0.56232E-02
A14＝-0.35184E-02
第4面                                第8面
K＝0.50000E+02                         K＝-0.10000E+02
A4＝-0.61005E-01                       A4＝-0.10178E+00
A6＝-0.47523E-01                       A6＝0.31961E-01
A8＝-0.51814E-01                       A8＝-0.23137E-02
A10＝0.20797E-01                       A10＝-0.18122E-03
A12＝0.12939E+00                       A12＝-0.49515E-05
A14＝0.43005E-05
第5面                                第9面
K＝0.00000E+00                         K＝-0.86941E+01
A4＝0.69414E-02                        A4＝-0.81876E-01
A6＝-0.20410E-01                       A6＝0.24872E-01
A8＝0.86559E-01                        A8＝-0.59560E-02
A10＝-0.11271E+00                      A10＝0.80272E-03
A12＝0.17893E+00                       A12＝-0.54814E-04
A14＝0.18445E-05
単レンズデータ
レンズ  始面    焦点距離(mm)
1       1       3.60 
2       4      -11.94 
3       6       2.11 
4       8      -2.11 
【０１２０】
図３１は実施例１４のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図３２は、実施例１４の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１と第２レンズＬ２の間に配置されている。
【０１２１】
（実施例１５）
実施例１５の撮像レンズのレンズデータを、表１５に示す。
【０１２２】
［表１５］
実施例 15
f＝3.51mm    fB＝0.10mm    F＝2.4      2ω＝80°2Y＝6mm
ENTP＝0mm    EXTP＝-3.07mm    H1＝-0.37mm    H2＝-3.40mm
面番号  R(mm)   D(mm)  Nd      νd    有効半径(mm)
1(絞り) ∞      -0.14                 0.73 
2*      1.415   0.41   1.5891   61    0.73 
3*      3.135   0.34                  0.76 
4*     -6.913   0.42   1.6347   24    0.78 
5*     74.053   0.43                  0.94 
6*      ∞      0.69   1.5447   56    1.33 
7*     -0.801   0.13                  1.48 
8*     -4.273   0.30   1.5447   56    1.82 
9*      1.025   1.33                  2.13 
10      ∞      0.15   1.5163   64    3.00 
11      ∞                            3.00 
非球面係数
第2面                                第6面
K＝0.12315E+00                         K＝0.50000E+02
A4＝-0.42607E-02                       A4＝-0.87796E-01
A6＝0.11361E-01                        A6＝0.97312E-01
A8＝-0.82737E-01                       A8＝-0.43882E-01
A10＝0.17610E+00                       A10＝-0.64485E-01
A12＝-0.22614E+00                      A12＝0.72205E-01
A14＝-0.18910E-01
第3面                                第7面
K＝-0.39391E+01                        K＝-0.46801E+01
A4＝-0.24045E-01                       A4＝-0.15446E+00
A6＝-0.74788E-01                       A6＝0.22907E+00
A8＝-0.79797E-02                       A8＝-0.13398E+00
A10＝-0.95377E-01                      A10＝0.25603E-01
A12＝-0.97403E-01                      A12＝0.88683E-02
A14＝-0.33587E-02
第4面                                第8面
K＝0.49142E+02                         K＝-0.38751E+01
A4＝-0.17968E+00                       A4＝0.50682E-02
A6＝-0.36950E-01                       A6＝-0.61988E-02
A8＝-0.83918E-01                       A8＝0.28707E-02
A10＝0.27813E-01                       A10＝0.10703E-03
A12＝0.22963E+00                       A12＝-0.98210E-04
A14＝-0.11819E+00                      A14＝0.19974E-05
第5面                                第9面
K＝-0.50000E+02                        K＝-0.98427E+01
A4＝-0.13592E+00                       A4＝-0.63450E-01
A6＝0.73084E-01                        A6＝0.28736E-01
A8＝-0.98764E-01                       A8＝-0.10575E-01
A10＝0.13711E+00                       A10＝0.24563E-02
A12＝-0.13061E-01                      A12＝-0.33013E-03
A14＝0.41119E-01                       A14＝0.20407E-04
単レンズデータ
レンズ  始面    焦点距離(mm)
1       2       4.02 
2       4      -9.94 
3       6       1.47 
4       8      -1.49 
【０１２３】
図３３は実施例１５のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図３４は、実施例１５の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１より物体側に配置されている。
【０１２４】
（実施例１６）
実施例１６の撮像レンズのレンズデータを、表１６に示す。
【０１２５】
［表１６］
実施例 16
f＝2.39mm    fB＝0.10mm    F＝2.4      2ω＝88°2Y＝4.8mm
ENTP＝0mm    EXTP＝-1.85mm    H1＝-0.55mm    H2＝-2.29mm    
面番号  R(mm)   D(mm)  Nd      νd    有効半径(mm)
1(絞り) ∞      -0.06                 0.50 
2*      1.046   0.32   1.5447   56    0.53 
3*      2.999   0.26                  0.56 
4*     -3.404   0.15   1.6347   24    0.57 
5*     -8.253   0.32                  0.66 
6*     -2.757   0.53   1.5447   56    1.04 
7*     -0.773   0.41                  1.15 
8*     -6.706   0.35   1.5447   56    1.67 
9*      1.111   0.50                  2.02 
10      ∞      0.11   1.5163   64    2.50 
11      ∞                            2.50 
非球面係数
第2面                                第6面
K＝0.19441E+00                         K＝-0.66604E+01
A4＝0.29866E-02                        A4＝0.22176E-01
A6＝0.74244E-01                        A6＝0.17005E+00
A8＝-0.23775E+00                       A8＝-0.10632E+00
A10＝0.19427E-01                       A10＝-0.18216E+00
A12＝-0.23132E+01                      A12＝0.32064E+00
A14＝-0.13576E+00
第3面                                第7面
K＝-0.39652E+01                            K＝-0.36659E+01
A4＝-0.43167E-01                       A4＝-0.33422E+00
A6＝-0.27024E+00                       A6＝0.52592E+00
A8＝-0.15200E+00                       A8＝-0.28727E+00
A10＝-0.12380E+01                      A10＝0.92534E-01
A12＝-0.68070E+01                      A12＝0.26576E-01
A14＝-0.27325E-01
第4面                                第8面
K＝0.26847E+02                         K＝0.26083E+01
A4＝-0.38433E+00                       A4＝-0.33465E-01
A6＝-0.26864E+00                       A6＝-0.19756E-01
A8＝-0.68342E-01                       A8＝0.91832E-02
A10＝0.10333E+01                       A10＝0.15174E-02
A12＝0.14198E+01                       A12＝-0.31982E-03
A14＝-0.18528E+01                      A14＝-0.70457E-04
第5面                                第9面
K＝0.30000E+02                         K＝-0.71739E+01
A4＝-0.16952E+00                       A4＝-0.89354E-01
A6＝0.11937E+00                        A6＝0.50592E-01
A8＝0.29565E-01                        A8＝-0.25723E-01
A10＝0.11424E+01                       A10＝0.78591E-02
A12＝0.13544E+01                       A12＝-0.14929E-02
A14＝0.90897E+00                       A14＝0.12763E-03
単レンズデータ
レンズ  始面    焦点距離(mm)
1       2       2.79 
2       4      -9.24 
3       6       1.80 
4       8      -1.72 
【０１２６】
図３５は実施例１６のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図３６は、実施例１６の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１より物体側に配置されている。
【０１２７】
（実施例１７）
実施例１７の撮像レンズのレンズデータを、表１７に示す。
【０１２８】
［表１７］
実施例 17
f＝2.55mm    fB＝0.12mm    F＝2.4      2ω＝84°2Y＝4.8mm
ENTP＝0mm    EXTP＝-1.79mm    H1＝-0.86mm    H2＝-2.43mm
面番号  R(mm)   D(mm)  Nd      νd    有効半径(mm)
1(絞り) ∞      -0.10                 0.53 
2*      0.988   0.36   1.5250   70    0.56 
3*      2.827   0.28                  0.57 
4*     -3.159   0.15   1.6347   24    0.59 
5*     -6.326   0.36                  0.65 
6*     -2.956   0.44   1.5447   56    1.06 
7*     -0.872   0.42                  1.19 
8*     -4.093   0.35   1.5447   56    1.59 
9*      1.355   0.47                  1.92 
10      ∞      0.11   1.5163   64    2.50 
11      ∞                            2.50 
非球面係数
第2面                                第6面
K＝0.20249E+00                         K＝-0.15691E+02
A4＝0.55519E-02                        A4＝0.12215E-01
A6＝0.51176E-01                        A6＝0.13733E+00
A8＝-0.26477E+00                       A8＝-0.15990E+00
A10＝0.71746E+00                       A10＝-0.22397E+00
A12＝-0.12118E+01                      A12＝0.48009E+00
A14＝-0.20752E+00
第3面                                第7面
K＝-0.20389E+01                        K＝-0.39995E+01
A4＝-0.25313E-01                       A4＝-0.23949E+00
A6＝-0.94856E-01                       A6＝0.55907E+00
A8＝-0.52310E+00                       A8＝-0.39794E+00
A10＝-0.21449E+00                      A10＝0.10321E+00
A12＝-0.15706E+01                      A12＝0.38631E-01
A14＝-0.24691E-01
第4面                                第8面
K＝0.24387E+02                         K＝0.28499E+01
A4＝-0.34329E+00                       A4＝-0.50638E-01
A6＝-0.44254E+00                       A6＝-0.54852E-02
A8＝0.38295E+00                        A8＝0.12196E-01
A10＝0.25698E+01                       A10＝0.10337E-02
A12＝0.54055E+01                       A12＝-0.68985E-03
A14＝-0.27209E+01                      A14＝-0.45429E-04
第5面                                第9面
K＝0.30000E+02                         K＝-0.87363E+01
A4＝-0.18885E+00                       A4＝-0.10697E+00
A6＝-0.20656E-01                       A6＝0.58263E-01
A8＝0.29769E-01                        A8＝-0.29896E-01
A10＝0.22362E+01                       A10＝0.98114E-02
A12＝0.20177E+01                       A12＝-0.22220E-02
A14＝0.30519E+00                       A14＝0.23332E-03
単レンズデータ
レンズ  始面    焦点距離(mm)
1       2       2.71 
2       4      -10.13 
3       6       2.11 
4       8      -1.83 
【０１２９】
図３７は実施例１７のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図３８は、実施例１７の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１より物体側に配置されている。
【０１３０】
（実施例１８）
実施例１８の撮像レンズのレンズデータを、表１８に示す。
【０１３１】
［表１８］
実施例 18
f＝2.55mm    fB＝0.12mm    F＝2.4      2ω＝84°2Y＝4.8mm
ENTP＝0mm    EXTP＝-1.81mm    H1＝-0.83mm    H2＝-2.43mm
面番号  R(mm)   D(mm)  Nd      νd    有効半径(mm)
1(絞り) ∞      -0.08                 0.53 
2*      1.005   0.33   1.5447   56    0.57 
3*      2.934   0.25                  0.59 
4*     -3.272   0.16   1.6347   24    0.59 
5*     -7.434   0.38                  0.65 
6*     -2.604   0.44   1.5447   56    1.04 
7*     -0.838   0.41                  1.15 
8*     -5.169   0.35   1.5447   56    1.57 
9*      1.240   0.49                  1.91 
10      ∞      0.11   1.5163   64    2.50 
11      ∞                            2.50 
非球面係数
第2面                                第6面
K＝0.17574E+00                         K＝-0.11074E+02
A4＝0.14632E-01                        A4＝0.19975E-01
A6＝-0.89682E-01                       A6＝0.15534E+00
A8＝0.27596E-01                        A8＝-0.15587E+00
A10＝0.11537E+01                       A10＝-0.23078E+00
A12＝-0.58377E+01                      A12＝0.47334E+00
A14＝-0.20299E+00
第3面                                第7面
K＝-0.65697E+01                        K＝-0.39350E+01
A4＝-0.50725E-01                       A4＝-0.26389E+00
A6＝-0.22999E+00                       A6＝0.57349E+00
A8＝-0.71452E+00                       A8＝-0.39045E+00
A10＝-0.10521E+01                      A10＝0.10513E+00
A12＝-0.28908E+01                      A12＝0.38586E-01
A14＝-0.26867E-01
第4面                                第8面
K＝0.22148E+02                         K＝0.51930E+01
A4＝-0.31115E+00                       A4＝-0.59058E-01
A6＝-0.49357E+00                       A6＝-0.10395E-01
A8＝0.92771E-01                        A8＝0.12891E-01
A10＝0.17284E+01                       A10＝0.15369E-02
A12＝0.46089E+01                       A12＝-0.52781E-03
A14＝-0.27209E+01                      A14＝-0.12570E-03
第5面                                第9面
K＝-0.30000E+02                        K＝-0.80616E+01
A4＝-0.12274E+00                       A4＝-0.10774E+00
A6＝0.17239E-01                        A6＝0.58656E-01
A8＝-0.17457E-01                       A8＝-0.30491E-01
A10＝0.22454E+01                       A10＝0.98738E-02
A12＝0.23445E+01                       A12＝-0.21573E-02
A14＝0.11152E-01                       A14＝0.22162E-03
単レンズデータ
レンズ  始面    焦点距離(mm)
1       2       2.65 
2       4      -9.35 
3       6       2.08 
4       8      -1.80         
【０１３２】
図３９は実施例１８のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図４０は、実施例１８の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１より物体側に配置されている。
【０１３３】
（実施例１９）
実施例１９の撮像レンズのレンズデータを、表１９に示す。
【０１３４】
［表１９］
実施例 19
f＝2.78mm    fB＝0.11mm    F＝2.4      2ω＝80°2Y＝4.8mm
ENTP＝0mm    EXTP＝-2.28mm    H1＝-0.45mm    H2＝-2.67mm
面番号  R(mm)   D(mm)  Nd      νd    有効半径(mm)
1(絞り) ∞      -0.03                 0.62 
2*      1.386   0.57   1.5447   56    0.64 
3*      ∞      0.12                  0.72 
4*     -5.516   0.26   1.6347   24    0.73 
5*      14.322  0.49                  0.78 
6*     -2.835   0.43   1.5447   56    0.90 
7*     -0.778   0.07                  1.04 
8*    -500.000  0.54   1.5447   56    1.56 
9*      0.974   0.68                  1.97 
10      ∞      0.30   1.5163   64    2.50 
11      ∞                            2.50 
非球面係数
第2面                                第6面
K＝-0.39397E+00                        K＝0.38522E+01
A4＝-0.13313E-01                       A4＝-0.36491E-01
A6＝0.40182E-01                        A6＝-0.17691E-01
A8＝-0.42969E+00                       A8＝-0.25460E-01
A10＝0.59331E+00                       A10＝-0.11116E+00
A12＝-0.96894E+00                      A12＝0.19761E+00
A14＝-0.19146E+00
第3面                                第7面
K＝-0.50000E+02                        K＝-0.40883E+01
A4＝-0.22080E+00                       A4＝-0.31162E+00
A6＝-0.36881E+00                       A6＝0.43524E+00
A8＝0.73250E+00                        A8＝-0.43275E+00
A10＝-0.19244E+01                      A10＝0.21884E+00
A12＝0.20186E+01                       A12＝0.49393E-01
A14＝-0.38984E-01
第4面                                第8面
K＝0.47376E+02                         K＝-0.17133E+07
A4＝-0.22239E+00                       A4＝-0.13177E+00
A6＝0.22316E-01                        A6＝0.62728E-01
A8＝0.10800E+00                        A8＝-0.49037E-02
A10＝0.63320E-01                       A10＝-0.87303E-03
A12＝0.10497E+01                       A12＝-0.52575E-03
A14＝0.15697E-03
第5面                                第9面
K＝0.00000E+00                         K＝-0.71362E+01
A4＝-0.28280E-01                       A4＝-0.10981E+00
A6＝0.69485E-01                        A6＝0.57839E-01
A8＝0.33803E+00                        A8＝-0.23851E-01
A10＝-0.59392E+00                      A10＝0.57259E-02
A12＝0.62530E+00                       A12＝-0.79339E-03
A14＝0.48958E-04
単レンズデータ
レンズ  始面   焦点距離(mm)
1       2      2.54 
2       4     -6.24 
3       6      1.83 
4       8     -1.78 
【０１３５】
図４１は実施例１９のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図４２は、実施例１９の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１より物体側に配置されている。
【０１３６】
（実施例２０）
実施例２０の撮像レンズのレンズデータを、表２０に示す。
【０１３７】
［表２０］
実施例 20
f＝2.77mm    fB＝0.11mm    F＝2.4      2ω＝72°2Y＝4.8mm
ENTP＝0mm    EXTP＝-2.24mm    H1＝-0.51mm    H2＝-2.67mm
面番号  R(mm)   D(mm)  Nd      νd    有効半径(mm)
1(絞り) ∞      -0.04                 0.58 
2*      1.336   0.89   1.5250   70    0.58 
3*      11.976  0.25                  0.71 
4*     -4.794   0.22   1.6347   24    0.73 
5*     -9.004   0.46                  0.80 
6*     -2.713   0.42   1.5447   56    0.94 
7*     -0.760   0.05                  1.10 
8*    -833.333  0.39   1.5447   56    1.40 
9*      0.898   0.58                  1.91 
10      ∞      0.15   1.5163   64    2.50 
11      ∞                            2.50 
非球面係数
第2面                                第6面
K＝-0.26554E+00                        K＝0.28575E+01
A4＝-0.48213E-02                       A4＝-0.23466E+00
A6＝0.29221E-01                        A6＝0.20924E+00
A8＝-0.33601E+00                       A8＝0.14533E-01
A10＝0.87231E+00                       A10＝-0.23013E+00
A12＝-0.86333E+00                      A12＝0.13597E+00
A14＝-0.17583E-01
第3面                                第7面
K＝-0.50000E+02                        K＝-0.41582E+01
A4＝-0.11095E+00                       A4＝-0.37034E+00
A6＝-0.26247E+00                       A6＝0.53231E+00
A8＝0.68642E+00                        A8＝-0.43430E+00
A10＝-0.20472E+01                      A10＝0.19971E+00
A12＝0.20935E+01                       A12＝0.40280E-01
A14＝-0.47995E-01
第4面                                第8面
K＝0.33422E+02                         K＝-0.26153E+06
A4＝-0.27513E+00                       A4＝-0.13633E+00
A6＝0.41033E-01                        A6＝0.19749E-01
A8＝0.38304E-01                        A8＝0.37847E-02
A10＝-0.49873E-01                      A10＝0.40256E-02
A12＝0.10226E+01                       A12＝-0.10035E-03
A14＝-0.57465E-03
第5面                                第9面
K＝0.00000E+00                         K＝-0.57240E+01
A4＝-0.17889E+00                       A4＝-0.13143E+00
A6＝0.65597E-01                        A6＝0.67390E-01
A8＝0.40672E+00                        A8＝-0.26471E-01
A10＝-0.50693E+00                      A10＝0.63600E-02
A12＝0.61780E+00                       A12＝-0.88042E-03
A14＝0.46830E-04
単レンズデータ
レンズ  始面   焦点距離(mm)
1       2      2.78 
2       4     -16.48 
3       6      1.80 
4       8     -1.65 
【０１３８】
図４３は実施例２０のレンズの断面図である。図中、L1は正の屈折力を有し物体側に凸面を向けた第１レンズ、L2は負の屈折力を有し物体側に凹面を向けた第２レンズ、L3は正の屈折力を有し像側に凸面を向けた第３レンズ、L4は負の屈折力を有し両凹形状を有する第４レンズ、Sは開口絞り、Iは撮像面を示す。また、Ｆは光学的ローパスフィルタやＩＲカットフィルタ、固体撮像素子のシールガラス等を想定した平行平板である。図４４は、実施例２０の収差図（球面収差（ａ）、非点収差（ｂ）、歪曲収差（ｃ）、メリディオナルコマ収差（ｄ））である。本実施例において、第４レンズＬ４は、物体側面および像側面が非球面形状とされており、光軸近傍から周辺に向かうに従い負の屈折力が弱くなる形状を有し、開口絞りＳが第１レンズＬ１より物体側に配置されている。
【０１３９】
各条件式に対応する各実施例の値を表２１に示す。
【０１４０】
【表２１】
2013092584.tif 000004
【０１４１】
また、本発明は、明細書に記載の実施例に限定されるものではなく、他の実施例・変形例を含むことは、本明細書に記載された実施例や思想から本分野の当業者にとって明らかである。例えば、実質的に屈折力を持たないダミーレンズを更に付与した場合でも本発明の適用範囲内である。
【産業上の利用可能性】
【０１４２】
本発明は、小型の携帯端末に好適な撮像レンズを提供できる。
【符号の説明】
【０１４３】
１０ 撮像レンズ
５０ 撮像ユニット
５１ 撮像素子
５１ａ 光電変換部
５２ 基板
５２ａ 支持平板
５２ｂ フレキシブル基板
５３ 筐体
５３ａ フランジ部
５４ 外部接続端子
５５ 絞り部材
６０ 入力部
７０ タッチパネル
８０ 無線通信部
９１ 記憶部
９２ 一時記憶部
１００ スマートフォン
１０１ 制御部
Ｉ 撮像面
Ｆ 平行平板
Ｌ１〜Ｌ４ レンズ
Ｓ 開口絞り
【図１】
2013092584.tif 000005
【図２】
2013092584.tif 000006
【図３】
2013092584.tif 000007
【図４】
2013092584.tif 000008
【図５】
2013092584.tif 000009
【図６】
2013092584.tif 000010
【図７】
2013092584.tif 000011
【図８】
2013092584.tif 000012
【図９】
2013092584.tif 000013
【図１０】
2013092584.tif 000014
【図１１】
2013092584.tif 000015
【図１２】
2013092584.tif 000016
【図１３】
2013092584.tif 000017
【図１４】
2013092584.tif 000018
【図１５】
2013092584.tif 000019
【図１６】
2013092584.tif 000020
【図１７】
2013092584.tif 000021
【図１８】
2013092584.tif 000022
【図１９】
2013092584.tif 000023
【図２０】
2013092584.tif 000024
【図２１】
2013092584.tif 000025
【図２２】
2013092584.tif 000026
【図２３】
2013092584.tif 000027
【図２４】
2013092584.tif 000028
【図２５】
2013092584.tif 000029
【図２６】
2013092584.tif 000030
【図２７】
2013092584.tif 000031
【図２８】
2013092584.tif 000032
【図２９】
2013092584.tif 000033
【図３０】
2013092584.tif 000034
【図３１】
2013092584.tif 000035
【図３２】
2013092584.tif 000036
【図３３】
2013092584.tif 000037
【図３４】
2013092584.tif 000038
【図３５】
2013092584.tif 000039
【図３６】
2013092584.tif 000040
【図３７】
2013092584.tif 000041
【図３８】
2013092584.tif 000042
【図３９】
2013092584.tif 000043
【図４０】
2013092584.tif 000044
【図４１】
2013092584.tif 000045
【図４２】
2013092584.tif 000046
【図４３】
2013092584.tif 000047
【図４４】
2013092584.tif 000048